(57)【要約】【課題】パワーコンディショナへの電気的な負荷を低減できる制御装置を提供する。【解決手段】各太陽光パネルの発電量を制御する各発電制御装置を制御する制御装置であって、各発電制御装置からの各太陽光パネルの出力に基づく各出力情報を受信し、第１の発電制御装置から第１の出力情報を所定期間受信しない場合、第１の発電制御装置により制御される第１の太陽光パネルによる発電状態を推定し、推定された第１の太陽光パネルによる発電状態に基づいて、第１の発電制御装置の出力に応じて出力が変動する第２の発電制御装置へ出力制御指令を送信する。【選択図】図２
2014142910.tif 000002
【特許請求の範囲】
【請求項１】
各太陽光パネルの発電量を制御する各発電制御装置を制御する制御装置であって、
各発電制御装置からの各太陽光パネルの出力に基づく各出力情報を受信する出力情報受信部と、
前記出力情報受信部により第１の発電制御装置から第１の出力情報を所定期間受信しない場合、前記第１の発電制御装置により制御される第１の太陽光パネルによる発電状態を推定する発電状態推定部と、
前記発電状態推定部により推定された前記第１の太陽光パネルによる発電状態に基づいて、前記第１の発電制御装置の出力に応じて出力が変動する第２の発電制御装置へ、前記第２の発電制御装置の出力を制御するための出力制御指令を送信する出力制御指令送信部と、
を備える制御装置。
【請求項２】
請求項１に記載の制御装置であって、
複数の太陽光パネルが直列に接続されてストリングが形成され、
前記第１の太陽光パネルと前記第２の発電制御装置により制御される第２の太陽光パネルとは、第１のストリングに含まれる制御装置。
【請求項３】
請求項２に記載の制御装置であって、
前記発電状態推定部は、各第２の発電制御装置からの各第２の出力情報に基づいて、前記第１の太陽光パネルによる発電状態を推定する制御装置。
【請求項４】
請求項３に記載の制御装置であって、
前記第２の出力情報は、前記第２の発電制御装置の出力電圧の情報を含み、
前記発電状態推定部は、前記第１のストリングのストリング電圧と、各第２の発電制御装置の出力電圧の和と、の差異が第１の所定値以下である場合、前記第１の太陽光パネルによる発電なしと推定する制御装置。
【請求項５】
請求項３に記載の制御装置であって、
前記第２の出力情報は、前記第２の発電制御装置の出力電圧の情報を含み、
前記発電状態推定部は、第２のストリングのストリング電圧と、各第２の発電制御装置の出力電圧の和と、の差異が第１の所定値以下である場合、前記第１の太陽光パネルによる発電なしと推定する制御装置。
【請求項６】
請求項３に記載の制御装置であって、
前記第２の出力情報は、前記第２の発電制御装置の出力電圧の情報を含み、
前記発電状態推定部は、各第２の発電制御装置の出力電圧の増大量が第２の所定値以上である場合、前記第１の太陽光パネルによる発電なしと推定する制御装置。
【請求項７】
請求項６に記載の制御装置であって、
前記発電状態推定部は、所定期間における各第２の発電制御装置の出力電圧の増大量が前記第２の所定値以上である場合、前記第１の太陽光パネルによる発電なしと推定する制御装置。
【請求項８】
請求項１ないし７のいずれか１項に記載の制御装置であって、
前記出力制御指令送信部は、前記発電状態推定部により前記第１の太陽光パネルによる発電なしと推定された場合、各第２の発電制御装置の出力の上限を増大するよう前記出力制御指令を送信する制御装置。
【請求項９】
請求項１ないし８のいずれか１項に記載の制御装置であって、
前記出力制御指令送信部は、前記発電状態推定部により前記第１の太陽光パネルによる発電ありと推定された場合、前記第２の発電制御装置の出力を増大しないよう前記出力制御指令を送信する制御装置。
【請求項１０】
請求項９に記載の制御装置であって、
前記出力制御指令は、前記第２の発電制御装置の出力電圧の上限を低下させる指令を含む制御装置。
【請求項１１】
請求項９に記載の制御装置であって、
前記出力制御指令は、前記第２の発電制御装置による昇圧を禁止する指令を含む制御装置。
【請求項１２】
請求項１１に記載の制御装置であって、
前記出力制御指令は、前記第２の発電制御装置による昇圧及び降圧を禁止する指令を含む制御装置。
【請求項１３】
請求項１ないし１２のいずれか１項に記載の制御装置であって、
前記第１の発電制御装置は、
前記太陽光パネルの出力を電力変換する電力変換部と、
前記太陽光パネルの出力を、前記電力変換部を介さずにバイパスさせる電力変換バイパス部と、
を備える制御装置。
【請求項１４】
太陽光パネルの発電量を制御する発電制御装置であって、
前記太陽光パネルの出力を検出する出力検出部と、
前記出力検出部により検出された前記太陽光パネルの出力に基づく出力情報を、当該発電制御装置を制御する制御装置へ送信する出力情報送信部と、
前記出力情報に基づいて前記制御装置により送信される当該発電制御装置の出力を制御するための出力制御指令を受信する出力制御指令受信部と、
前記出力制御指令受信部により受信された前記出力制御指令に基づいて、前記太陽光パネルの出力を制御する制御部と、
を備える発電制御装置。
【請求項１５】
請求項１４に記載の発電制御装置であって、
前記制御部は、前記出力制御指令に応じて、当該発電制御装置の出力電圧の上限を低下させ、当該発電制御装置の出力電圧が当該上限以下となるよう制御する発電制御装置。
【請求項１６】
請求項１４に記載の発電制御装置であって、
前記制御部は、前記出力制御指令に応じて、前記太陽光パネルの出力電圧に対する昇圧を禁止する発電制御装置。
【請求項１７】
請求項１６に記載の発電制御装置であって、
前記制御部は、前記出力制御指令に応じて、前記太陽光パネルの出力電圧に対する昇圧及び降圧を禁止する発電制御装置。
【請求項１８】
請求項１４ないし１７のいずれか１項に記載の発電制御装置であって、更に、
第１の電力供給源としての前記太陽光パネルからの電力又は第２の電力供給源からの電力を供給する電源部を備える発電制御装置。
【請求項１９】
請求項１４ないし１８のいずれか１項に記載の発電制御装置であって、
前記太陽光パネルの出力を電力変換する電力変換部と、
前記太陽光パネルの出力を、前記電力変換部を介さずにバイパスさせる電力変換バイパス部と、
を備える発電制御装置。
【請求項２０】
第１の太陽光パネルの発電量を制御する第１の発電制御装置と、第２の太陽光パネルの発電量を制御する第２の発電制御装置と、前記第１の発電制御装置及び前記第２の発電制御装置を制御する制御装置と、を備える太陽光発電システムであって、
前記第１の発電制御装置は、
前記第１の太陽光パネルの出力を検出する出力検出部と、
前記出力検出部により検出された前記第１の太陽光パネルの出力に基づく第１の出力情報を、前記制御装置へ送信する出力情報送信部と、
を備え、
前記制御装置は、
前記第１の発電制御装置からの前記第１の出力情報を受信する出力情報受信部と、
前記出力情報受信部により前記第１の発電制御装置からの前記第１の出力情報を所定期間受信しない場合、前記第１の太陽光パネルによる発電状態を推定する発電状態推定部と、
前記発電状態推定部により推定された前記第１の太陽光パネルによる発電状態に基づいて、前記第１の発電制御装置の出力に応じて出力が変動する前記第２の発電制御装置へ、前記第２の発電制御装置の出力を制御するための出力制御指令を送信する出力制御指令送信部と、
を備え、
前記第２の発電制御装置は、
前記制御装置からの前記出力制御指令を受信する出力制御指令受信部と、
前記出力制御指令受信部により受信された前記出力制御指令に基づいて、前記第２の太陽光パネルの出力を制御する制御部と、
を備える太陽光発電システム。
【請求項２１】
各太陽光パネルの発電量を制御する各発電制御装置を制御する制御装置における制御方法であって、
各発電制御装置からの各太陽光パネルの出力に基づく各出力情報を受信するステップと、
第１の発電制御装置から第１の出力情報を所定期間受信しない場合、前記第１の発電制御装置により制御される第１の太陽光パネルによる発電状態を推定するステップと、
前記推定された前記第１の太陽光パネルによる発電状態に基づいて、前記第１の発電制御装置の出力に応じて出力が変動する第２の発電制御装置へ、前記第２の発電制御装置の出力を制御するための出力制御指令を送信するステップと、
を有する制御方法。
【請求項２２】
太陽光パネルの発電量を制御する発電制御装置における発電制御方法であって、
前記太陽光パネルの出力を検出するステップと、
前記検出された前記太陽光パネルの出力に基づく出力情報を、当該発電制御装置を制御する制御装置へ送信するステップと、
前記出力情報に基づいて前記制御装置により送信される当該発電制御装置の出力を制御するための出力制御指令を受信するステップと、
前記受信された前記出力制御指令に基づいて、前記太陽光パネルの出力を制御するステップと、
を有する発電制御方法。
【請求項２３】
請求項１に記載の制御装置であって、
前記第１の発電制御装置及び前記第２の発電制御装置を含む複数の前記発電制御装置から、所定個の異なる前記発電制御装置を、所定の切替周期毎に切り替えて選択する発電制御装置選択部と、を更に備え、
前記出力制御指令送信部は、前記各発電制御装置からの各太陽光パネルの出力に基づく各出力情報の要求指令を、前記発電制御装置選択部により選択された前記所定個の異なる前記発電制御装置に送信する、
制御装置。
【請求項２４】
請求項２３に記載の制御装置であって、
前記発電制御装置選択部は、前記要求指令が送信された前記所定個の異なる前記発電制御装置のうちいずれかの発電制御装置から、前記太陽光パネルの出力に基づく出力情報が前記切替周期内に受信されない場合に、前記いずれかの発電制御装置を含む前記所定個の異なる発電制御装置を次の前記切替周期に選択する、
制御装置。
【請求項２５】
請求項２３に記載の制御装置であって、
前記出力制御指令送信部は、所定の出力情報収集周期内に、前記要求指令を全ての前記発電制御装置に送信し、
前記所定の出力情報収集周期は、全ての前記発電制御装置に前記要求指令が送信されるまでの期間と、前記出力制御指令送信部に前記要求指令を再送させるための所定の予備期間とを含む、
制御装置。
【請求項２６】
請求項１に記載の制御装置であって、
前記出力制御指令送信部は、前記第１の発電制御装置及び前記第２の発電制御装置を含む複数の前記発電制御装置から、前記太陽光パネルの出力に基づく出力情報の要求指令の送信タイミングを、他の制御装置との間で所定の出力情報収集期間毎に切り替える、
制御装置。
【請求項２７】
請求項２６に記載の制御装置であって、
前記他の制御装置との間において、前記所定の出力情報収集期間の開始タイミングが同期している、
制御装置。
【請求項２８】
請求項２１に記載の制御方法であって、
前記第１の発電制御装置及び前記第２の発電制御装置を含む複数の前記発電制御装置から、所定個の異なる前記発電制御装置を、所定の切替周期毎に切り替えて選択するステップと、
前記各発電制御装置からの各太陽光パネルの出力に基づく各出力情報の要求指令を、選択された前記所定個の異なる前記発電制御装置に送信するステップと、を更に有する、
制御方法。
【請求項２９】
請求項２１に記載の制御方法であって、
前記第１の発電制御装置及び前記第２の発電制御装置を含む複数の前記発電制御装置から、前記太陽光パネルの出力に基づく出力情報の要求指令の送信タイミングを、他の制御装置との間で所定の出力情報収集期間毎に切り替えるステップと、を更に有する、
制御方法。
【発明の詳細な説明】
【技術分野】
【０００１】
本発明は、制御装置、発電制御装置、太陽光発電システム、制御方法、及び発電制御方法に関する。
【背景技術】
【０００２】
従来、太陽光パネル（ＰＶ（Ｐｈｏｔｏ  Ｖｏｌｔａｉｃ）パネル）を利用し、太陽光のエネルギーを電気エネルギーに変換する太陽光発電が普及している。太陽光発電では、発電時に廃棄物、排水、騒音、振動などが発生せず、非常用電源としても活用が期待されることから、近年特に注目されている。
【０００３】
太陽光パネルによる発電量は、例えば、太陽放射照度、天候（例えば温度、雲量）に依存する。太陽光発電による発電電力を最大にするために、最大電力点追従制御（ＭＰＰＴ：Ｍａｘｉｍｕｍ  Ｐｏｗｅｒ  Ｐｏｉｎｔ  Ｔｒａｃｋｉｎｇ）（以下、ＭＰＰＴ制御ともいう）が行われる。
【０００４】
ＭＰＰＴ制御を行う装置の一例として、太陽光を受光して発電する太陽光発電モジュールが複数直列に接続されてなるストリングが複数並列に接続されてなる太陽光発電アレイが開示されている。このストリングは、直列に接続される各太陽光発電モジュールと、各々の太陽光発電モジュールに接続され、太陽光発電モジュールの出力電圧及び出力電流を調整する電力調整装置と、太陽光発電モジュールと並列に接続されたバイパスダイオードと、を有する。
【０００５】
このバイパスダイオードは、例えば日陰又は汚れにより一部の太陽光発電モジュールの出力電圧又は出力電流の値が低下する場合、バイパス素子における順方向電圧が所定電圧以上になるとバイパス素子に電流が流れ、他の太陽光発電モジュールの発電低下を抑制するために設けられる。
【先行技術文献】
【特許文献】
【０００６】
【特許文献１】特開２０１１−００８３４８号公報
【発明の概要】
【発明が解決しようとする課題】
【０００７】
特許文献１の技術では、太陽光発電モジュールにより発電された電力を変換するパワーコンディショナに対して、電気的な負荷が過剰にかかることがあった。
【０００８】
本発明は、上記事情に鑑みてなされたものであって、パワーコンディショナへの電気的な負荷を低減できる制御装置、発電制御装置、太陽光発電システム、制御方法、及び発電制御方法を提供する。
【課題を解決するための手段】
【０００９】
本発明の制御装置は、各太陽光パネルの発電量を制御する各発電制御装置を制御する制御装置であって、各発電制御装置からの各太陽光パネルの出力に基づく各出力情報を受信する出力情報受信部と、前記出力情報受信部により第１の発電制御装置から第１の出力情報を所定期間受信しない場合、前記第１の発電制御装置により制御される第１の太陽光パネルによる発電状態を推定する発電状態推定部と、前記発電状態推定部により推定された前記第１の太陽光パネルによる発電状態に基づいて、前記第１の発電制御装置の出力に応じて出力が変動する第２の発電制御装置へ、前記第２の発電制御装置の出力を制御するための出力制御指令を送信する出力制御指令送信部と、を備える。
【００１０】
本発明の発電制御装置は、太陽光パネルの発電量を制御する発電制御装置であって、前記太陽光パネルの出力を検出する出力検出部と、前記出力検出部により検出された前記太陽光パネルの出力に基づく出力情報を、当該発電制御装置を制御する制御装置へ送信する出力情報送信部と、前記出力情報に基づいて前記制御装置により送信される当該発電制御装置の出力を制御するための出力制御指令を受信する出力制御指令受信部と、前記出力制御指令受信部により受信された前記出力制御指令に基づいて、前記太陽光パネルの出力を制御する制御部と、を備える。
【００１１】
本発明の太陽光発電システムは、第１の太陽光パネルの発電量を制御する第１の発電制御装置と、第２の太陽光パネルの発電量を制御する第２の発電制御装置と、前記第１の発電制御装置及び前記第２の発電制御装置を制御する制御装置と、を備える太陽光発電システムであって、前記第１の発電制御装置は、前記第１の太陽光パネルの出力を検出する出力検出部と、前記出力検出部により検出された前記第１の太陽光パネルの出力に基づく第１の出力情報を、前記制御装置へ送信する出力情報送信部と、を備え、前記制御装置は、前記第１の発電制御装置からの前記第１の出力情報を受信する出力情報受信部と、前記出力情報受信部により前記第１の発電制御装置からの前記第１の出力情報を所定期間受信しない場合、前記第１の太陽光パネルによる発電状態を推定する発電状態推定部と、前記発電状態推定部により推定された前記第１の太陽光パネルによる発電状態に基づいて、前記第１の発電制御装置の出力に応じて出力が変動する前記第２の発電制御装置へ、前記第２の発電制御装置の出力を制御するための出力制御指令を送信する出力制御指令送信部と、を備え、前記第２の発電制御装置は、前記制御装置からの前記出力制御指令を受信する出力制御指令受信部と、前記出力制御指令受信部により受信された前記出力制御指令に基づいて、前記第２の太陽光パネルの出力を制御する制御部と、を備える。
【００１２】
本発明の制御方法は、各太陽光パネルの発電量を制御する各発電制御装置を制御する制御装置における制御方法であって、各発電制御装置からの各太陽光パネルの出力に基づく各出力情報を受信するステップと、第１の発電制御装置から第１の出力情報を所定期間受信しない場合、前記第１の発電制御装置により制御される第１の太陽光パネルによる発電状態を推定するステップと、前記推定された前記第１の太陽光パネルによる発電状態に基づいて、前記第１の発電制御装置の出力に応じて出力が変動する第２の発電制御装置へ、前記第２の発電制御装置の出力を制御するための出力制御指令を送信するステップと、を有する。
【００１３】
本発明の発電制御方法は、太陽光パネルの発電量を制御する発電制御装置における発電制御方法であって、前記太陽光パネルの出力を検出するステップと、前記出力検出部により検出された前記太陽光パネルの出力に基づく出力情報を、当該発電制御装置を制御する制御装置へ送信するステップと、前記出力情報に基づいて前記制御装置により送信される当該発電制御装置の出力を制御するための出力制御指令を受信するステップと、前記受信された前記出力制御指令に基づいて、前記太陽光パネルの出力を制御するステップと、を有する。
【発明の効果】
【００１４】
本発明によれば、パワーコンディショナへの電気的な負荷を低減できる。
【図面の簡単な説明】
【００１５】
【図１】実施形態における太陽光発電システムの構成例を示すブロック図
【図２】実施形態におけるＭＰＰＴ子機の第１構成例を示すブロック図
【図３】実施形態におけるＭＰＰＴ子機の第２構成例を示すブロック図
【図４】実施形態におけるＭＰＰＴ子機の第３構成例を示すブロック図
【図５】実施形態におけるＭＰＰＴ子機の回路構成例の一部を示す図
【図６】実施形態におけるＭＰＰＴ親機の構成例を示すブロック図
【図７】（Ａ）実施形態におけるバイパスダイオードを備える各ＭＰＰＴ子機を流れる発電時の電流経路の一例を示す図、（Ｂ）実施形態におけるバイパストランジスタを備える各ＭＰＰＴ子機を流れる発電時の電流経路を示す図
【図８】（Ａ）実施形態におけるバイパスダイオードを備える各ＭＰＰＴ子機を流れる非発電時の電流経路の一例を示す図、（Ｂ）実施形態におけるバイパストランジスタを備える各ＭＰＰＴ子機を流れる非発電時の電流経路を示す図
【図９】実施形態における太陽光発電システムがストリング電圧検出部を備えない場合の構成例を示すブロック図
【図１０】実施形態における太陽光発電システムがストリング電圧検出部を備える場合の構成例を示すブロック図
【図１１】実施形態における太陽光発電システムの動作例を示すタイムチャート
【図１２】実施形態における太陽光パネルの発電状況とＭＰＰＴ子機の通信状態とに基づくＭＰＰＴ子機の出力制御指令の具体例を示す図
【図１３】実施形態におけるＭＰＰＴ親機の動作例を示すフローチャート
【図１４】実施形態におけるＭＰＰＴ親機の動作例を示すフローチャート（図１３の続き）
【図１５】実施形態におけるＭＰＰＴ親機の動作例を示すフローチャート（図１３の続き）
【図１６】実施形態におけるＭＰＰＴ親機による出力制限指令に応じたＭＰＰＴ子機の出力変化の第１例を示す図
【図１７】実施形態におけるＭＰＰＴ親機による出力制限指令に応じたＭＰＰＴ子機の出力変化の第２例を示す図
【図１８】実施形態におけるＭＰＰＴ親機による出力制限指令に応じたＭＰＰＴ子機の出力変化の第３例を示す図
【図１９】本変形例の太陽光発電システムの構成例を示すブロック図
【図２０】本変形例の１個のＭＰＰＴ親機＃１と複数個のＭＰＰＴ子機＃１〜＃１２８との間におけるページング方式によるＤＥＣＴ通信の動作説明図
【図２１】本変形例の１個のＭＰＰＴ親機＃１と複数個のＭＰＰＴ子機＃１〜＃１２８との間におけるページング方式によるＤＥＣＴ通信の動作手順を説明するシーケンス図
【図２２】同時ページングの対象となる子機の個数の最適値を測定するためのシミュレーション結果を示すグラフ
【図２３】本変形例の１個のコーディネータ端末と複数個（例えば４個）のＭＰＰＴ親機との間におけるコーディネータ方式による通信の動作手順を説明するシーケンス図
【発明を実施するための形態】
【００１６】
以下、本発明の実施形態について、図面を用いて説明する。
【００１７】
（本発明の一形態を得るに至った経緯）
【００１８】
特許文献１では、日陰又は汚れにより太陽光パネルの発電量が低下した場合に、太陽光パネルに発生する不具合を改善することはできたが、更に太陽光発電システムにおけるパワーコンディショナに不具合が発生することも考えられる。パワーコンディショナに発生する不具合の一例について、以下に説明する。
【００１９】
太陽光発電システムは、太陽光パネル、各太陽光パネルの発電を制御する発電制御装置としてのＭＰＰＴ子機、各ＭＰＰＴ子機を制御する制御装置としてのＭＰＰＴ親機、及び、各ＭＰＰＴ子機の出力を変換するパワーコンディショナ、を備える。
【００２０】
ＭＰＰＴ子機は、太陽光パネルの出力を検出し、太陽光パネルの出力に基づく出力情報をＭＰＰＴ親機へ送信する。この出力情報は、例えば、太陽光パネルの出力、又は電圧変換後のＭＰＰＴ子機の出力である。ＭＰＰＴ親機は、ＭＰＰＴ子機からの出力情報を受信することで、各ＭＰＰＴ子機の出力（例えば出力電圧、出力電流）の情報を把握できる。
【００２１】
また、ＭＰＰＴ親機は、各ＭＰＰＴ子機に対し、各ＭＰＰＴ子機の出力電圧の上限値を指示している。出力電圧の上限値の指示が適切である場合には、各ＭＰＰＴ子機から過大な電圧が出力されることはなく、パワーコンディショナは各ＭＰＰＴ子機からの電圧を許容できる。
【００２２】
一方、ＭＰＰＴ親機は、ＭＰＰＴ子機からの出力情報を受信できない場合、ＭＰＰＴ子機に対応する太陽光パネルの発電量を把握できず、太陽光パネルが発電しているか否かを判断できない。ＭＰＰＴ子機からの出力情報を受信できない場合、例えば、日陰が発生したことで太陽光パネルが発電しておらず、ＭＰＰＴ子機が動作していないために通信できないことが考えられる。また、単に通信障害が発生し、ＭＰＰＴ子機が通信できないことが考えられる。
【００２３】
従来、ＭＰＰＴ親機は、ＭＰＰＴ子機からの出力情報を受信できない場合、このＭＰＰＴ子機に対応する太陽光パネルが発電していないと判断していた。この場合、ＭＰＰＴ親機は、この太陽光パネルによる発電量を補うことを可能にするために、例えば同一ストリング内の他のＭＰＰＴ子機の出力電圧の上限値を増大していた。
【００２４】
しかし、他のＭＰＰＴ子機の出力電圧の上限値を増大すると、仮に通信不可状態のＭＰＰＴ子機に対応する太陽光パネルが発電していた場合、各ＭＰＰＴ子機の出力電圧の総和が、パワーコンディショナ５０の最大入力可能電圧を超過する可能性があった。
【００２５】
以下では、パワーコンディショナへの電気的な負荷を低減できる制御装置、発電制御装置、太陽光発電システム、制御方法、及び発電制御方法を提供する。
【００２６】
（実施形態）
図１は、本発明の実施形態における太陽光発電システム１００の構成例を示す図である。太陽光発電システム１００は、ＰＶパネル１０、ＭＰＰＴ子機２０、ＭＰＰＴ親機３０、接続箱４０、及びパワーコンディショナ５０を備える。ＭＰＰＴ子機２０は発電制御装置の一例である。ＭＰＰＴ親機３０は、制御装置の一例である。
【００２７】
ＰＶパネル１０は、光電効果により、光エネルギーを電力に変換する太陽電池を含むパネルである。ＰＶパネル１０は、複数の太陽電池セルが組み合わされた太陽電池モジュールである。ＰＶパネル１０は、電力線ＰＬに対して直列又は並列に接続される。各ＰＶパネル１０は、各ＭＰＰＴ子機２０と１対１で対応している。
【００２８】
図１の例では、各ＰＶパネル１０が電力線ＰＬを介して直列に接続された太陽電池ストリング（ＰＶストリング）として構成されている。また、各太陽電池ストリングが電力線ＰＬを介して接続箱４０において並列に接続され、太陽電池アレイ（ＰＶアレイ）として構成されている。なお、ＰＶパネル１０が６個直列に接続されてＰＶストリングが構成され、ＰＶストリングが４個並列に接続されてＰＶアレイが構成されているが、この数はこれに限られない。
【００２９】
ＭＰＰＴ子機２０は、自装置に接続されたＰＶパネル１０の発電電力（発電量）を制御する。つまり、ＭＰＰＴ子機２０は、自装置に接続されたＰＶパネル１０の発電電力を入力し、この発電電力が所望の電力となるように制御する。所望の電力は、例えば、ＰＶパネル１０の向き、ＰＶパネル１０の設置場所、又は日照条件によって、ＭＰＰＴ子機２０毎に異なることがある。
【００３０】
例えば、ＭＰＰＴ子機２０は、自装置に接続されたＰＶパネル１０に対してＭＰＰＴ制御する。ＭＰＰＴ子機２０のＭＰＰＴ制御とは、接続されたＰＶパネル１０の発電量を最大とするための制御である。このＭＰＰＴ制御は、公知の方法により実現可能であり、例えば山登り法が採用される。また、ＭＰＰＴ子機２０は、ＭＰＰＴ親機３０の子機として動作する。
【００３１】
ＭＰＰＴ親機３０は、複数のＭＰＰＴ子機２０の親機として動作する。また、ＭＰＰＴ親機３０は、例えば、ＭＰＰＴ子機２０による測定値（例えば、電流、電圧、又は電力の測定値）をＭＰＰＴ子機２０から受信し、ＰＶパネル１０の発電量を常時監視する。
【００３２】
ＭＰＰＴ親機３０の設置場所は、特に限定しない。例えば、単独の装置としてＭＰＰＴ子機２０との通信が可能な場所に設置されてもよいし、パワーコンディショナ５０内に設置されてもよいし、接続箱４０内に設置されてもよい。図１では、単独の装置として設置された場合を例示している。
【００３３】
接続箱４０は、複数のＰＶパネル１０が直列に接続されて構成されるＰＶストリング単位で配線としての電力線ＰＬをまとめて（集線し）、パワーコンディショナ５０に接続する。接続箱４０は、例えば、電力線ＰＬを接続するための端子、点検や保守の際に使用されるスイッチ、避雷素子、及び電気の逆流を防止するための逆流防止ダイオードを含む。
【００３４】
また、接続箱４０は、パワーコンディショナ５０と一体化されてもよい。また、接続箱４０は、省略されてもよい。
【００３５】
パワーコンディショナ５０は、接続箱４０から出力された直流電力を変換（ＤＣＤＣ変換）し、さらに交流電力に変換（ＤＣＡＣ変換）する。パワーコンディショナ５０は、例えば分電盤（不図示）に接続される。
【００３６】
また、パワーコンディショナ５０は、上記ＤＣＤＣ変換動作において、パワーコンディショナ５０に入力された電力が最大となるようにＭＰＰＴ制御する。パワーコンディショナ５０のＭＰＰＴ制御とは、太陽光発電システム１００に含まれるＰＶパネル１０の総発電量を最大とするための制御である。このＭＰＰＴ制御は、公知の方法により実現可能であり、例えば山登り法が採用される。
【００３７】
次に、ＭＰＰＴ子機２０の構成例について説明する。
図２〜図４は、ＭＰＰＴ子機２０の構成例を示す図である。図５はＭＰＰＴ子機２０の回路構成例の一部を示す図である。ＭＰＰＴ子機２０は、スイッチ部２１、電源部２２、電流電圧検出部２３，２４、ＤＣＤＣ部２５、制御部２６、通信部２７、バイパスダイオードＢＤ、入力端子２８、及び出力端子２９を備える。
【００３８】
スイッチ部２１は、ＭＰＰＴ子機２０の入力端子２８側と出力端子２９側とを電気的に接続又は遮断させる。スイッチ部２１は、制御部２６からの切り替え信号に応じて、オンオフ制御される。スイッチ部２１は、電力変換バイパス部の一例である。
【００３９】
入力端子２８側と出力端子２９側とを電気的に接続させた場合（ＯＮ）、ＭＰＰＴ子機２０に接続されたＰＶパネル１０からの電力を、出力端子２９側へそのまま通過させる。つまり、スイッチ部２１はバイパス回路として動作できる。これにより、ＰＶパネル１０の出力をモニタリングできる。例えば、ＭＰＰＴ制御の停止中には、スイッチ部２１はオンにされる。
【００４０】
入力端子２８側と出力端子２９側とを電気的に遮断させた場合（ＯＦＦ）、ＭＰＰＴ子機２０に接続されたＰＶパネル１０からの電力は、スイッチ部２１を介した経路では出力されない。例えば、ＭＰＰＴ制御の実行中には、スイッチ部２１はオフにされる。
【００４１】
電源部２２は、例えばＰＶパネル１０からの電力供給を受けて、ＭＰＰＴ子機２０内の各部へ電力を供給する。ＰＶパネル１０は、第１の電力供給源である。
【００４２】
電流電圧検出部２３は、ＰＶパネル１０の出力電流及び出力電圧を検出する。つまり、ＤＣＤＣ部２５による電圧変換前の電流値及び電圧値を検出する。なお、電流電圧検出部２３により検出される電流を入力側検出電流、電流電圧検出部２３により検出される電圧を入力側検出電圧、とも称する。また、電流電圧検出部２３は、出力検出部の一例である。
【００４３】
電流電圧検出部２４は、スイッチ部２１又はＤＣＤＣ部２５の出力電流又は出力電圧を検出する。つまり、スイッチ部２１を通過した電流値及び電圧値、又は、ＤＣＤＣ部２５による電圧変換後の電流値及び電圧値を検出する。なお、電流電圧検出部２４により検出される電流を出力側検出電流、電流電圧検出部２４により検出される電圧を出力側検出電圧、とも称する。
【００４４】
ＤＣＤＣ部２５は、ＤＣ／ＤＣコンバータであり、電力変換用のスイッチング素子を有するスイッチ部２５Ｓを備える。スイッチ部２５Ｓは、オンとオフを適時切り替えることにより、電力線ＰＬを介してＰＶパネル１０から供給される供給電力を制御する。
【００４５】
ＤＣＤＣ部２５は、ＰＶパネル１０の出力電圧を入力し、スイッチ部２５Ｓを用いて、入力された電圧を変圧する。スイッチ部２５Ｓは、制御部２６からのＰＷＭ（Ｐｕｌｓｅ
Ｗｉｄｔｈ  Ｍｏｄｕｌａｔｉｏｎ）信号に応じて、オンオフ制御される。つまり、ＤＣＤＣ部２５は、昇圧又は降圧を行う昇降圧回路として動作できる。ＤＣＤＣ部２５は、電力変換部の一例である。
【００４６】
なお、図４では、スイッチ部２５Ｓの一例として、Ｐチャネル型のＦＥＴ（Ｆｉｅｌｄ
Ｅｆｆｅｃｔ  Ｔｒａｎｓｉｓｔｏｒ）を開示したが、これに限定せず、例えばＮチャネル型のＦＥＴを用いても良い。
【００４７】
制御部２６は、例えば、不図示のＲＯＭに格納されたプログラムをマイクロコンピュータが実行することで、各種処理を行う。
【００４８】
制御部２６は、ＭＰＰＴ制御する場合には、出力側検出電圧が所定の電圧となるよう、ＤＣＤＣ部２５のスイッチ部２５Ｓのオン時間とオフ時間との比を示すデューティ比（ＰＷＭ値）を決定し、スイッチ部２５Ｓをオンオフ制御する。例えば、所定の電圧とは、ＭＰＰＴ制御により決定される、最大電力点の電圧である。ＭＰＰＴ制御では、デューティ比は可変である。
【００４９】
ＰＶパネル１０の出力電圧は、ＭＰＰＴ子機２０の入力側検出電圧として検出される。ＰＶパネル１０の出力電流は、ＭＰＰＴ子機２０の入力側検出電流として検出される。
【００５０】
また、ＰＶパネル１０の出力電力が、例えば制御部２６により、ＭＰＰＴ子機２０により検出された入力側検出電圧と入力側検出電流との積として導出（例えば算出）されてもよい。この場合、制御部２６は、電力導出部としての機能を有する。なお、ＭＰＰＴ子機２０が、入力側の電力を検出する電力検出器を備えてもよい。導出された入力側の電力を入力側電力とも称する。
【００５１】
ＭＰＰＴ子機２０の出力電圧は、出力側検出電圧として検出される。ＭＰＰＴ子機２０の出力電流は、ＭＰＰＴ子機２０の出力側検出電流として検出される。
【００５２】
また、ＭＰＰＴ子機２０の出力電力が、例えば制御部２６により、出力側検出電圧と出力側検出電流との積として導出（例えば算出）されてもよい。なお、ＭＰＰＴ子機２０が、出力側の電力を検出する電力検出器を備えてもよい。導出された出力側の電力を出力側電力とも称する。
【００５３】
また、制御部２６は、ＭＰＰＴ親機３０から送信される出力制御指令に基づいて、ＤＣＤＣ部２５を制御してもよい。ＤＣＤＣ部２５の制御により、ＰＶパネル１０の出力が制御される。
【００５４】
出力制御指令は、例えば、ＭＰＰＴ子機２０の出力電圧の上限値を増大させるための情報（第１の出力制御指令）、又は、ＭＰＰＴ子機２０の出力電圧を維持又は低下させるための情報（第２の出力制御指令）、を含む。第２の出力制御指令は、例えば、ＭＰＰＴ子機２０の出力電圧の上限値を低下させる指令、ＤＣＤＣ部２５による昇圧を禁止する指令、又は、ＤＣＤＣ部２５による昇圧及び降圧（昇降圧）を禁止する指令、を含む。
【００５５】
通信部２７は、他のＭＰＰＴ子機２０、ＭＰＰＴ親機３０、又はパワーコンディショナ５０との間において、有線又は無線を用いて通信する。この通信の方式は、例えば、電力線を介した電力線通信（ＰＬＣ：Ｐｏｗｅｒ  Ｌｉｎｅ  Ｃｏｍｍｕｎｉｃａｔｉｏｎ）を含む。また、この通信の方式は、例えば、ＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎ）、無線ＬＡＮ（Ｌｏｃａｌ  Ａｒｅａ  Ｎｅｔｗｏｒｋ）通信、又はＺｉｇｂｅｅ（登録商標）を含む。
【００５６】
例えば、通信部２７は、電流電圧検出部２３，２４による検出値を含む検出情報を、ＭＰＰＴ親機３０へ送信する。検出情報は、例えば、入力側検出電流及び入力側検出電圧の情報を含む。検出情報は、上記入力側の情報とともに、又は入力側の情報の代わりに、出力側検出電流及び出力側検出電圧の情報を含んでもよい。また、例えば、通信部２７は、ＭＰＰＴ親機３０から送信された出力制御指令を受信する。
【００５７】
つまり、通信部２７は、出力情報送信部の一例である。また、通信部２７は、出力制御指令受信部の一例である。
【００５８】
バイパスダイオードＢＤは、ＰＶパネル１０に不具合が発生した場合に、他のＰＶパネル１０から入力され、ＭＰＰＴ子機２０を流れる電流をバイパスさせる。不具合が発生した場合とは、例えば、日陰又は汚れにより、ＰＶパネル１０が遮光されて発電していない場合である。バイパスダイオードＢＤにより、ＰＶパネル１０に不具合が発生した場合でも、電力低下を防ぎ、バイパスダイオードＢＤの発熱による負荷を低減できる。
【００５９】
図２及び図３では、通信部２７として、無線通信する通信部２７Ａを例示している。通信部２７Ａは、ＤＣＤＣ部２５の前段側（入力端子２８側）に配置されてもよい。これにより、通信部２７Ａに入力されるノイズ（例えば、スイッチ部２１又はスイッチ部２５Ｓにおけるスイッチングノイズ）の影響が比較的小さくなり、良好な通信特性が得られる。
【００６０】
図４では、通信部２７として、有線通信する通信部２７Ｂを例示している。通信部２７Ｂは、ＤＣＤＣ部２５の後段側（出力端子２９側）に配置されてもよい。有線通信は、例えば電力線通信を含む。これにより、スイッチ部２１又はスイッチ部２５Ｓを介さずに、電力線ＰＬを伝送される信号が通信部２７Ｂに入力されるので、良好な通信特性が得られる。
【００６１】
また、図２〜図４では、所定のタイミングにおいて電源部２２へ電力を供給する第２の電力供給源が示されている。
【００６２】
図２では、ＭＰＰＴ子機２０は、更に、電源部２２に接続された二次電池２２Ａを備える。二次電池２２Ａは、例えば、常時、又はＰＶパネル１０からの電力が所定電力以下の場合に、電源部２２へ電力を供給する。電源部２２は、ＰＶパネル１０から供給される電力に応じて、電力供給元としてＰＶパネル１０と二次電池２２Ａとを切り替えてもよい。
【００６３】
図３では、ＭＰＰＴ子機２０は、更に、電源部２２に接続されたコンデンサ２２Ｂを備える。コンデンサ２２Ｂとして、例えば数Ｆ（Ｆａｒａｄ）〜数十Ｆの大容量コンデンサを用いてもよい。コンデンサ２２Ｂは、例えば、ＰＶパネル１０から供給される電力が所定電力以下の場合に、電源部２２へ電力を供給する。電源部２２は、ＰＶパネル１０からの電力に応じて、電力供給元としてＰＶパネル１０とコンデンサ２２Ｂとを切り替えてもよい。
【００６４】
図４では、ＭＰＰＴ子機２０の外部にある外部電源２２Ｃが、ＭＰＰＴ子機２０の電源部２２に接続されている。外部電源２２Ｃは、直流電源でも交流電源でもよい。外部電源２２Ｃは、例えば、常時、又はＰＶパネル１０からの電力が所定電力以下の場合に、電源部２２へ電力を供給する。電源部２２は、ＰＶパネル１０から供給される電力に応じて、電力供給元としてＰＶパネル１０と外部電源２２Ｃとを切り替えてもよい。
【００６５】
二次電池２２Ａ、コンデンサ２２Ｂ、又は外部電源２２Ｃを備えることで、通信部２７は、ＰＶパネル１０による発電量が所定値以下である場合でも、所定の情報（例えばＭＰＰＴ子機２０の検出情報）をＭＰＰＴ親機３０へ送信できる。
【００６６】
なお、太陽光発電システム１００では、通信部２７と第２の電力供給源との組み合わせは任意である。例えば、太陽光発電システム１００は、通信部２７として通信部２７Ａ、第２の電力供給源として外部電源２２Ｃを備えてもよい。また、太陽光発電システム１００は、通信部２７として通信部２７Ｂ、第２の電力供給源として二次電池２２Ａを備えてもよい。また、太陽光発電システム１００は、通信部２７として通信部２７Ｂ、第２の電力供給源としてコンデンサ２２Ｂを備えてもよい。
【００６７】
次に、ＭＰＰＴ親機３０の構成例について説明する。
図６は、ＭＰＰＴ親機３０の構成例を示す図である。ＭＰＰＴ親機３０は、制御部３１、電源部３６、及び通信部３７を備える。制御部３１は、ＣＰＵ（Ｃｅｎｔｒａｌ  Ｐｒｏｃｅｓｓｉｎｇ  Ｕｎｉｔ）３２、ＲＡＭ（Ｒａｎｄｏｍ  Ａｃｃｅｓｓ  Ｍｅｍｏｒｙ）３３、フラッシュメモリ（Ｆｌａｓｈ）３４、及びＩ／Ｏ（Ｉｎｐｕｔ／Ｏｕｔｐｕｔ）部３５を備える。
【００６８】
制御部３１は、例えば、ＲＡＭ３３に格納されたプログラムをＣＰＵ３２により実行することで、各種処理を行う。制御部３１は、例えば、ＭＰＰＴ子機２０から所定の情報（例えば検出情報）を所定期間受信しなかった場合、このＭＰＰＴ子機２０に対応するＰＶパネル１０による発電状態（例えば発電の有無）を推定する。つまり、制御部３１は、発電状態推定部としての機能を有する。なお、検出情報は、ＰＶパネル１０の出力に基づく出力情報の一例である。この出力情報は、ＭＰＰＴ子機２０の入力側又は出力側の電流、電圧、又は電力の情報を含む。
【００６９】
制御部３１による処理結果は、例えばＩ／Ｏ部３５を介して通信部３７により他の装置へ送信される。Ｉ／Ｏ部３５は、制御部３１と通信部３７との間の通信インタフェースであり、例えば、ＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）又はＩ２Ｃを含む。
【００７０】
電源部３６は、例えば商用電源（交流電源又は直流電源）からの電力供給を受けて、ＭＰＰＴ親機３０内の各部へ電力を供給する。
【００７１】
通信部３７は、ＭＰＰＴ子機２０との間において、有線または無線を用いて通信する。この通信の方式は、例えば、電力線を介した電力線通信（ＰＬＣ）、ＤＥＣＴ、無線ＬＡＮ通信、又はＺｉｇｂｅｅ（登録商標）を含む。
【００７２】
例えば、通信部３７は、ＭＰＰＴ子機２０から検出情報を受信し、出力制御指令をＭＰＰＴ子機２０へ送信する。通信部３７は、出力情報受信部の一例である。また、通信部３７は、出力制御指令送信部の一例である。
【００７３】
パワーコンディショナ５０は、例えば、ＤＣ／ＤＣコンバータ、ＭＰＰＴ制御を行うための制御部、他装置と通信するための通信部、及び、ＤＣ／ＡＣコンバータを備える。
【００７４】
次に、各ＭＰＰＴ子機２０を流れる電流について説明する。
図７（Ａ），（Ｂ）〜図８（Ａ），（Ｂ）は、各ＭＰＰＴ子機２０を流れる電流経路の一例を示す図である。なお、図７（Ａ），（Ｂ）〜図８（Ａ），（Ｂ）では、ＭＰＰＴ子機２０におけるバイパス素子（例えば、バイパスダイオードＢＤ又はバイパス用トランジスタＢＴ）以外の構成が省略されている。
【００７５】
バイパス素子は、他のＭＰＰＴ子機２０に接続された他のＰＶパネル１０により発電された電力をバイパスさせるバイパス部の一例であり、又はバイパス部に含まれる。なお、バイパス素子はＭＰＰＴ子機２０内ではなく、ＭＰＰＴ子機２０の出力側であれば、外部に設けられても良い。
【００７６】
図７（Ａ）は、ＰＶパネル１０が発電しており、バイパスダイオードＢＤに電流が流れない例を示す。図７（Ｂ）は、図７（Ａ）のバイパスダイオードＢＤの代わりに、バイパス用トランジスタＢＴが配設された例を示す。
【００７７】
図７（Ａ），（Ｂ）の場合、ＭＰＰＴ子機２０に入力された電流は、バイパス素子を介さずに、スイッチ部２１又はＤＣＤＣ部２５を介して、ＰＶパネル１０又は他のＭＰＰＴ子機２０へ出力される。つまり、図７（Ａ），（Ｂ）の場合、バイパス素子では電流が流れない。電流が流れない場合とは、ＰＶパネル１０が発電してバイパス素子に逆電圧が掛かる場合などである。
【００７８】
図８（Ａ）は、ＰＶパネル１０が発電しておらず、バイパスダイオードＢＤに電流が流れる例を示す。図８（Ｂ）は、図８（Ａ）のバイパスダイオードＢＤの代わりに、バイパス用トランジスタＢＴが配設された例を示す。
【００７９】
図８（Ａ），（Ｂ）の場合、ＭＰＰＴ子機２０に入力された電流は、スイッチ部２１又はＤＣＤＣ部２５を介さずに、バイパス素子を介して、他のＭＰＰＴ子機２０へ出力される。つまり、図８（Ａ），（Ｂ）の場合、バイパス素子に電流が流れる。電流が流れる場合とは、バイパス素子の電圧が所定の順方向電圧ＶＦ以上である場合である。
【００８０】
次に、太陽光発電システム１００の構成例について補足する。
図９及び図１０は、太陽光発電システム１００の他構成例を示す模式図である。
【００８１】
図９及び図１０では、複数のＰＶパネル１０Ａ〜１０Ｄが直列に接続されてＰＶストリング１１Ａが構成され、複数のＰＶパネル１０Ｅ〜１０Ｈが直列に接続されてＰＶストリング１１Ｂが構成されることを例示する。また、ＰＶストリング１１ＡとＰＶストリング１１Ｂとを含むＰＶアレイが構成されることを例示する。各ＭＰＰＴ子機２０Ａ〜２０Ｈは、各ＰＶパネル１０Ａ〜１０Ｈと１対１に対応する。なお、ＰＶアレイあたりのＰＶストリング数、ＰＶストリングあたりのＰＶパネル数は、上記以外であってもよい。
【００８２】
図９では、太陽光発電システム１００は、ＰＶストリング１１Ａ，１１Ｂのストリング電圧を検出するためのストリング電圧検出部を備えていない。この場合、ＭＰＰＴ親機３０は、各ＰＶパネル１０から検出情報を取得した場合、検出情報に含まれる入力側検出電圧又は出力側検出電圧の和から、ＰＶストリング１１Ａ，１１Ｂの電圧を導出してもよい。
【００８３】
一方、図１０では、太陽光発電システム１００は、ＰＶストリング１１Ａ，１１Ｂのストリング電圧を検出するためのストリング電圧検出部６１，６２を備える。この場合、ＭＰＰＴ親機３０は、ストリング電圧検出部６１，６２からストリング電圧検出部６１，６２により検出された電圧の情報を取得してもよい。また、ＭＰＰＴ子機２０は、各ＰＶパネル１０から検出情報を取得した場合、検出情報に含まれる入力側検出電圧又は出力側検出電圧の和から、ＰＶストリング１１Ａ，１１Ｂの電圧を導出してもよい。
【００８４】
また、図９及び図１０に示すように、ＰＶパネル１０の実際の設置環境では、例えば、建物ＢＬによる日陰ＳＤの一部が、ＰＶパネル１０Ａの受光面に含まれることもある。この場合、日陰ＳＤの影響により、ＰＶパネル１０Ａの発電量は、日陰ＳＤを含まない他のＰＶパネル１０Ｂ〜１０Ｈの発電量よりも小さくなる。
【００８５】
次に、太陽光発電システム１００の各部の動作例について説明する。
図１１では、ＭＰＰＴ親機３０及びＰＶパネル１０Ａと同一のＰＶストリング１１Ａに存在するＰＶパネル１０Ａ〜１０Ｄに対応するＭＰＰＴ子機２０Ａ〜２０Ｄの動作例を示す。
【００８６】
ＭＰＰＴ親機３０を単に「親機」とも記載する。また、ＭＰＰＴ子機２０Ａを単に「子機Ａ」、ＭＰＰＴ子機２０Ｂを単に「子機Ｂ」、ＭＰＰＴ子機２０Ｃを単に「子機Ｃ」、ＭＰＰＴ子機２０Ｄを単に「子機Ｄ」、とも記載する。また、ＰＶパネル１０Ａを単に「パネルＡ」、ＰＶパネル１０Ｂを単に「パネルＢ」、ＰＶパネル１０Ｃを単に「パネルＣ」、ＰＶパネル１０Ｃを単に「パネルＤ」、とも記載する。
【００８７】
ＭＰＰＴ子機２０Ａは、第１の発電制御装置の一例である。ＭＰＰＴ子機２０Ｂ〜２０Ｄは、第２の発電制御装置の一例である。ＭＰＰＴ子機２０Ｂ〜２０Ｄの出力は、例えばパワーコンディショナ５０のＭＰＰＴ制御により、ＭＰＰＴ子機２０Ａの出力の変動に応じて変動する。また、ＰＶパネル１０Ａは、第１のＰＶパネルの一例である。ＰＶパネル１０Ｂ〜１０Ｄは、第２のＰＶパネルの一例である。
【００８８】
ＭＰＰＴ親機３０の通信部３７は、太陽光発電システム１００に含まれるＭＰＰＴ子機２０Ａ〜２０Ｄに対して、定期的に、データを要求する（Ｓ１１）。このデータの要求は、例えば、各ＭＰＰＴ子機２０Ａ〜２０Ｄが保持する検出情報の送信要求を含む。
【００８９】
ＭＰＰＴ子機２０Ａ〜２０Ｄの通信部２７は、ＭＰＰＴ親機３０からのデータの要求を受信すると、ＭＰＰＴ親機３０に対して応答データを送信する（Ｓ１２）。この応答データは、例えば、各ＭＰＰＴ子機２０Ａ〜２０Ｄが保持する検出情報を含む。
【００９０】
応答データの送信後、ＰＶパネル１０Ａは、何らかの理由により、通信が停止することを想定する（Ｓ１３）。つまり、ＭＰＰＴ子機２０Ａは、ＭＰＰＴ親機３０との間で通信できない状態（通信不可状態）となる。なお、ＰＶパネル１０Ａの発電量が少なく、ＰＶパネル１０Ａからの電力によりＭＰＰＴ子機２０Ａが動作停止した場合、第２の電力供給源から電力供給を受けて、ＭＰＰＴ子機２０Ａは動作できる。
【００９１】
Ｓ１１の処理から所定期間経過後、ＭＰＰＴ親機３０の通信部３７は、ＭＰＰＴ子機２０Ａ〜２０Ｄに対して、データを要求する（Ｓ１４）。データの要求の内容は、Ｓ１１において説明した内容と同様である。
【００９２】
ＭＰＰＴ子機２０Ｂ〜２０Ｄの通信部２７は、ＭＰＰＴ親機３０からのデータの要求を受信すると、ＭＰＰＴ親機３０に対して応答データを送信する（Ｓ１５）。応答データの内容は、Ｓ１２において説明した内容と同様である。
【００９３】
一方、ＭＰＰＴ子機２０Ａは、通信不可状態であるので、ＭＰＰＴ親機３０からのデータの要求を受信できず、ＭＰＰＴ親機３０へ応答データを送信できない。
【００９４】
ＭＰＰＴ親機３０の通信部３７は、ＭＰＰＴ子機２０Ａから応答データを受信しなかった場合、応答データを受信するまで、又はタイムアウトするまで、定期的にデータの要求を再送する（Ｓ１６）。
【００９５】
ＭＰＰＴ親機３０の制御部３１は、所定期間内にＭＰＰＴ子機２０Ａから応答データを受信しなかった場合、つまりタイムアウトした場合、ＭＰＰＴ子機２０Ａが通信不可状態であると判定する（Ｓ１７）。
【００９６】
ＭＰＰＴ親機３０の制御部３１は、ＭＰＰＴ子機２０Ａが通信不可状態であると判定すると、ＭＰＰＴ子機２０Ａに接続されたＰＶパネル１０Ａが発電しているか否か、つまりＰＶパネル１０Ａの発電の有無を判定する（Ｓ１８）。
【００９７】
ＭＰＰＴ親機３０の通信部３７は、ＰＶパネル１０Ａによる発電の有無に基づいて、通信不可状態であるＭＰＰＴ子機２０Ａと同一のＰＶストリング１１Ａに存在する他のＭＰＰＴ子機２０Ｂ〜２０Ｄに対して、出力制御指令を送信する（Ｓ１９）。
【００９８】
ＭＰＰＴ子機２０Ｂ〜２０Ｄの制御部２６は、ＭＰＰＴ親機３０からの出力制御指令を受信すると、出力制御指令に基づいて、自装置の出力を制御する（Ｓ２０）。ＭＰＰＴ子機２０Ｂ〜２０Ｄの出力制御の詳細については、後述する。
【００９９】
このように、ＭＰＰＴ子機２０Ａが通信不可状態となった場合、ＰＶパネル１０Ａにより発電されていない場合、発電されている場合の両方が想定される。ＭＰＰＴ親機３０は、通信不可状態の場合、ＰＶパネル１０Ａの発電状態（例えば発電の有無）の推定結果に応じて、ＭＰＰＴ子機２０Ｂ〜２０Ｄの出力を適切に制御することで、ストリング電圧が過大となることを防止できる。従って、パワーコンディショナ５０への電気的な負荷を軽減できる。
【０１００】
また、ＭＰＰＴ子機２０Ｂ〜２０Ｄは、ＭＰＰＴ親機３０から出力制御指令を受けることで、ＭＰＰＴ子機２０Ａの発電の有無を考慮して出力を制御できる。従って、通信不可状態にあるＰＶパネル１０を含むＰＶストリング１１Ａの電圧が過大となることを防止でき、パワーコンディショナ５０への電気的な負荷を軽減できる。
【０１０１】
次に、ＰＶパネル１０による発電状況とＭＰＰＴ子機２０の通信状態とに基づく出力制御指令の具体例について説明する。
【０１０２】
図１２は、ＰＶパネル１０Ａによる発電状況（発電あり、発電なし）とＭＰＰＴ子機２０Ａの通信状態（通信可能状態、通信不可状態）とに基づく出力制御指令の具体例を示す図である。
【０１０３】
例えば、ＰＶパネル１０Ａが通信可能状態であり、発電ありと推定される場合、ＭＰＰＴ親機３０は、ＭＰＰＴ子機２０Ｂ〜２０Ｄに対して、出力制限指令を送信しない。この場合でも、ＭＰＰＴ親機３０は、通信により得られる検出情報に基づいて、ＭＰＰＴ子機２０Ａ〜２０Ｄの制御を適切に実行できる。
【０１０４】
また、ＰＶパネル１０Ａが通信可能状態であり、発電なしと推定される場合、ＭＰＰＴ親機３０は、ＭＰＰＴ子機２０Ｂ〜２０Ｄに対して、ＭＰＰＴ子機２０Ｂ〜２０Ｄの出力電圧の上限値を増大するよう出力制御指令を送信する。この場合、ＭＰＰＴ子機２０Ａによる発電想定分を他のＭＰＰＴ子機２０Ｂ〜２０Ｄにより補足でき、例えばＰＶストリング１１Ａの電圧を一定に維持できる。
【０１０５】
また、ＰＶパネル１０Ａが通信不可状態であり、発電ありと推定される場合、ＭＰＰＴ親機３０は、ＭＰＰＴ子機２０Ｂ〜２０Ｄに対して、ＭＰＰＴ子機２０Ｂ〜２０Ｄの出力電圧の上限値を減少又は維持するよう出力制御指令を送信する。この場合、例えば、ＭＰＰＴ子機２０Ａにより発電されているにも関わらず、不用意にＭＰＰＴ子機２０Ｂ〜２０Ｄの出力電圧が増大され、パワーコンディショナ５０への電気的な負荷が過大にかかることを防止できる。
【０１０６】
また、ＰＶパネル１０Ａが通信不可状態であり、発電なしと推定される場合、ＭＰＰＴ親機３０は、ＭＰＰＴ子機２０Ｂ〜２０Ｄに対して、ＭＰＰＴ子機２０Ｂ〜２０Ｄの出力電圧の上限値を増大するよう出力制御指令を送信する。この場合、ＭＰＰＴ子機２０Ａによる発電想定分を他のＭＰＰＴ子機２０Ｂ〜２０Ｄにより補足でき、例えばＰＶストリング１１Ａの電圧を一定に維持できる。
【０１０７】
次に、ＭＰＰＴ親機３０の動作例について説明する。
図１３〜図１５は、ＭＰＰＴ親機３０の動作例を示すフローチャートである。
【０１０８】
まず、制御部３１は、所定時間、ＭＰＰＴ子機２０Ａからの所定のデータ（例えば検出情報）を通信部３７により受信しなかったか否かを判定する（Ｓ１０１）。
【０１０９】
通信部３７により所定期間、データを受信しなかった場合、制御部３１は、ＰＶストリング１１Ａの電圧を取得したか否かを判定する（Ｓ１０２）。ＰＶストリング１１Ａの電圧（ストリング電圧）を取得していない場合には、例えば、太陽光発電システム１００がストリング電圧検出部６１を備えていない場合、が含まれる。また、ＰＶストリング１１Ａの電圧を取得していない場合には、例えば、ＭＰＰＴ親機３０がストリング電圧検出部６１からストリング電圧の情報を受信していない場合、が含まれる。
【０１１０】
ＰＶストリング１１Ａの電圧が取得された場合、制御部３１は、ＰＶストリング１１Ａの電圧と、ＭＰＰＴ子機２０Ｂ〜２０Ｄの出力電圧の和と、の差が所定閾値以上であるか否かを判定する（Ｓ１０３）。この所定閾値は、第１の所定値の一例であり、例えば、ＰＶパネル１０Ａが発電する場合に予想されるＭＰＰＴ子機２０Ａの最低出力電圧以下となるように設定される。ＭＰＰＴ子機２０Ｂ〜２０Ｄは、ＭＰＰＴ子機２０Ａと同一のＰＶストリング１１Ａに含まれる他のＭＰＰＴ子機である。
【０１１１】
ＰＶストリング１１Ａの電圧と、ＭＰＰＴ子機２０Ｂ〜２０Ｄの出力電圧の和と、の差が所定閾値以上である場合、制御部３１は、ＰＶパネル１０Ａが発電中であると推定する（図１５のＳ１０９）。一方、ＰＶストリング１１Ａの電圧と、ＭＰＰＴ子機２０Ｂ〜２０Ｄの出力電圧の和と、の差が所定閾値未満である場合、制御部３１は、ＰＶパネル１０Ａが発電を停止していると推定する（図１４のＳ１０７）。
【０１１２】
Ｓ１０３における判定を実行することにより、ＰＶパネル１０Ａが含まれるＰＶストリング１１Ａの電圧に、ＰＶパネル１０Ａの出力電圧が含まれるか否かを推定できる。従って、ＰＶパネル１０Ａの発電の有無を高精度に推定できる。
【０１１３】
Ｓ１０２において、ＰＶストリング１１Ａの電圧が取得されなかった場合、制御部３１は、ＭＰＰＴ子機２０Ｂ〜２０Ｄと比較可能な他のストリング電圧があるか否かを判定する（Ｓ１０４）。
【０１１４】
比較可能な他のストリング電圧がある場合には、例えば、他のＰＶストリング（例えばＰＶストリング１１Ｂ）に含まれる全てのＭＰＰＴ子機２０（例えばＭＰＰＴ子機２０Ｅ〜２０Ｈ）から検出情報を取得した場合が含まれる。また、比較可能な他のストリング電圧がある場合には、例えば、他のＰＶストリングの電圧を測定するストリング電圧検出部（例えばストリング電圧検出部６２）が設けられている場合が含まれる。
【０１１５】
一方、比較可能な他のストリング電圧がない場合には、例えば、他のＰＶストリング（例えばＰＶストリング１１Ｂ）に通信不可のＭＰＰＴ子機２０が存在する場合、又は、他にＰＶストリングが存在しない場合、が含まれる。また、比較可能な他のストリング電圧がない場合には、例えば、太陽光発電システム１００が他のＰＶストリングの電圧を測定するストリング電圧検出部（例えばストリング電圧検出部６２）を備えていない場合が含まれる。また、比較可能な他のストリング電圧がない場合には、例えば、ＭＰＰＴ親機３０がストリング電圧検出部６２からストリング電圧の情報を受信していない場合、が含まれる。
【０１１６】
ＰＶストリング１１Ｂの電圧が取得された場合、制御部３１は、他のＰＶストリング（例えばＰＶストリング１１Ｂ）の電圧と、ＭＰＰＴ子機２０Ｂ〜２０Ｄの出力電圧の和と、の差が所定閾値以上であるか否かを判定する（Ｓ１０５）。この所定閾値は、第１の所定値の一例であり、例えば、ＰＶパネル１０Ａが発電する場合に予想されるＭＰＰＴ子機２０Ａの最低出力電圧以下となるように設定される。
【０１１７】
他のＰＶストリングの電圧と、ＭＰＰＴ子機２０Ｂ〜２０Ｄの出力電圧の和と、の差が所定閾値以上である場合、制御部３１は、ＰＶパネル１０Ａが発電中であると推定する（図１５のＳ１０９）。一方、ＰＶストリング１１Ｂの電圧と、ＭＰＰＴ子機２０Ｂ〜２０Ｄの出力電圧の和と、の差が所定閾値未満である場合、制御部３１は、ＰＶパネル１０Ａが発電を停止していると推定する（図１４のＳ１０７）。
【０１１８】
ＰＶストリング１１ＡとＰＶストリングＢとの電圧は略同一である。Ｓ１０５における判定を実行することにより、ＰＶストリング１１Ａの電圧の代わりにＰＶストリング１１Ｂの電圧を用いて、ＰＶストリング１１Ａの電圧に相当するＰＶストリング１１Ｂの電圧に、ＰＶパネル１０Ａの出力電圧が含まれるか否かを推定できる。従って、ＰＶパネル１０Ａの発電の有無を高精度に推定できる。
【０１１９】
Ｓ１０４において他のストリング電圧がない場合、制御部３１は、Ｓ１０１においてＭＰＰＴ子機２０Ａが通信不可と判定された後に、ＭＰＰＴ子機２０Ｂ〜２０Ｄの各出力電圧の増大量が所定閾値以上であるか否かを判定する（Ｓ１０６）。この所定閾値は、第２の所定値の一例であり、例えば、各出力電圧の増大量が、ＰＶパネル１０Ａが発電する場合に予想されるＭＰＰＴ子機２０Ａの最低出力電圧以下となるように設定される。また、この所定閾値は、例えば、ＭＰＰＴ子機２０Ａが通信不可となる前に、つまり予めＭＰＰＴ子機２０Ａの出力電圧を基に設定されてもよい。
【０１２０】
上記増大量が所定閾値未満である場合、制御部３１は、ＰＶパネル１０Ａが発電中であると推定する（図１５のＳ１０９）。一方、上記増大量が所定閾値以上である場合、制御部３１は、ＰＶパネル１０Ａが発電を停止していると推定する（図１４のＳ１０７）。
【０１２１】
Ｓ１０６では、ＭＰＰＴ子機２０Ｂ〜２０Ｄからの検出情報のみに基づいて、ＰＶパネル１０Ａの発電の有無を推定する。これにより、いずれのストリング電圧も考慮せずに、ＰＶパネル１０Ａの発電の有無を推定できる。
【０１２２】
なお、Ｓ１０６では、制御部３１は、Ｓ１０１においてＭＰＰＴ子機２０Ａが通信不可と判定されてから所定時間に、ＭＰＰＴ子機２０Ｂ〜２０Ｄの各出力電圧の増大量が所定閾値以上であるか否かを判定する。この所定時間は、例えば、パワーコンディショナ５０のＭＰＰＴ制御により各ＭＰＰＴ子機２０が出力電圧を変更するために必要な時間である。つまり、瞬間的にＭＰＰＴ子機２０Ｂ〜２０Ｄの各出力電圧が所定の増大をしたか否かに応じて、発電の有無を推定してもよい。
【０１２３】
これにより、ＭＰＰＴ子機２０Ａの発電停止に伴いＭＰＰＴ子機２０Ｂ〜２０Ｄの出力電圧が変更されたと推定でき、ＰＶパネル１０Ａの発電の有無を高精度に推定できる。
【０１２４】
図１４に示すように、制御部３１は、図１３のＳ１０３、Ｓ１０５、及びＳ１０６において所定条件を満たす場合、ＰＶパネル１０Ａが発電を停止していると推定する（Ｓ１０７）。
【０１２５】
ＰＶパネル１０Ａが発電を停止している場合、制御部３１は、ＭＰＰＴ子機２０Ｂ〜２０Ｄに対して、ＭＰＰＴ子機２０Ｂ〜２０Ｄの出力電圧の上限値を増大するよう、出力制御指令を送信する（Ｓ１０８）。
【０１２６】
また、制御部３１は、上記上限値を増大させる量を、例えば、ＰＶパネル１０Ａの発電停止に伴うＭＰＰＴ子機２０Ａ〜２０Ｄの出力電圧低下の程度に基づいて決定する。
【０１２７】
このように、出力電圧の上限値を増大させる出力制御指令を送信することにより、ＰＶパネル１０Ａの発電量低下に伴ってＰＶストリング１１Ａの電圧が低下することを抑制できる。
【０１２８】
図１５に示すように、制御部３１は、図１３のＳ１０３、Ｓ１０５、及びＳ１０６において所定条件を満たす場合、ＰＶパネル１０Ａが発電中であると推定する（Ｓ１０９）。
【０１２９】
ＰＶパネル１０Ａが発電中である場合、制御部３１は、パワーコンディショナ５０の最大入力可能電圧と、ＭＰＰＴ子機２０Ｂ〜２０Ｄの各最大出力可能電圧の和と、の差が所定閾値以上であるか否かを判定する（Ｓ１１０）。この所定閾値は、例えば、ＰＶパネル１０Ａが発電する場合に予想されるＭＰＰＴ子機２０Ａの最低出力電圧以下となるように設定される。また、この最大入力可能電圧は、入力電圧の上限値であり、最大出力可能電圧は、出力電圧の上限値である。
【０１３０】
上記電圧の差が所定閾値以上である場合、制御部３１は、ＭＰＰＴ子機２０Ｂ〜２０Ｄに対して、出力制御指令を送信しない（Ｓ１１１）。この場合でも、パワーコンディショナ５０は、ＰＶパネル１０Ａの発電量が多少増大しても、ＰＶパネル１０Ａの発電量を加味して、ＰＶストリング１１Ａに含まれるＭＰＰＴ子機２０Ａ〜２０Ｄの出力電圧を入力することを無理なく許容できる。
【０１３１】
一方、上記電圧の差が所定閾値未満である場合、制御部３１は、ＭＰＰＴ子機２０Ｂ〜２０Ｄに対して、ＭＰＰＴ子機２０Ｂ〜２０Ｄの各出力電圧の上限値を減少又は維持するよう、出力制御指令を送信する（Ｓ１１２）。この出力制御指令は、例えば、ＭＰＰＴ子機２０Ｂ〜２０Ｄの各出力電圧の上限値の低下指令、上記上限値を維持してＤＣＤＣ部２５による昇圧及び降圧を禁止する指令、又は、上記上限値を維持してＤＣＤＣ部２５による昇圧を禁止する指令、を含む。
【０１３２】
ＭＰＰＴ子機２０Ｂ〜２０Ｄに対して出力電圧の上限値を減少又は維持させる出力制御指令を送信することにより、ＭＰＰＴ子機２０Ａの出力電圧が増大することを抑制できる。従って、ＰＶパネル１０Ａの発電量を加味して、ＰＶストリング１１Ａに含まれるＭＰＰＴ子機２０Ａ〜２０Ｄの出力電圧を入力することを無理なく許容できる。
【０１３３】
なお、図１３〜図１５の処理は、ＭＰＰＴ親機３０がＭＰＰＴ子機２０Ａからのデータを所定期間受信しない場合に限らず、定期的に実行されてもよい。時間とともにＰＶパネル１０に対する影の位置が移動し、発電状態が変化することが考えらえるためである。図１３〜図１５の１回の処理だけでなく、定期的な処理の結果を踏まえることで、ＰＶパネル１０（例えばＰＶパネル１０Ａ）の発電回復に備えることができる。
【０１３４】
次に、ＭＰＰＴ親機３０によるＭＰＰＴ子機２０の出力制御について説明する。
図１６〜図１８は、ＭＰＰＴ親機３０による出力制御指令に応じたＭＰＰＴ子機２０の出力変化の第１例〜第３例を示す図である。図１６〜図１８では、ＰＶストリング１１Ａに含まれるＭＰＰＴ子機２０Ａ〜２０Ｄの出力変化例を示す。
【０１３５】
図１６〜図１８では、ＰＶパネル１０Ａ〜１０Ｄは、いずれも同様の特性を有し、ＰＶパネル１０の受光面に日陰ＳＤを含まない場合（通常時）には、出力電圧：４０Ｖであることを想定している。また、ＭＰＰＴ子機２０Ａ〜２０Ｄ及びパワーコンディショナ５０は、共にＭＰＰＴ制御することを想定している。また、パワーコンディショナ５０は、ＭＰＰＴ制御により、ストリング電圧を１６０Ｖに設定することを想定している。
【０１３６】
図１６〜図１８では、第１の状態から第５の状態までを時系列により示し、各状態における実動作電圧／出力電圧上限値の結果を示している。実動作電圧／出力電圧上限値は、図１６〜図１８において上段が実動作電圧であり、下段が出力電圧上限値であることを示している。
【０１３７】
実動作電圧は、ＭＰＰＴ子機２０Ａ〜２０Ｄに対応するＰＶパネル１０Ａ〜１０Ｄの動作電圧（実測値）である。出力電圧上限値は、ＭＰＰＴ子機２０Ａ〜２０Ｄの出力電圧の上限値（設定値）である。出力電圧上限値は、ＭＰＰＴ親機３０からの制御信号に基づいてＭＰＰＴ子機２０において設定される。
【０１３８】
図１６〜図１８では、（Ａ）第１の状態、（Ｂ）第２の状態、（Ｃ）第３の状態、及び（Ｄ）第４の状態、は同じであり、（Ｅ）第５の状態が各々異なっている。（Ａ）〜（Ｄ）については、図１６〜図１８をまとめて説明する。
【０１３９】
（Ａ）第１の状態では、初期状態における実動作電圧／出力電圧上限値の結果を示している。図１６〜図１８では、例えば影が存在せず、いずれのＭＰＰＴ子機２０Ａ〜２０Ｄにおいても、実動作電圧が４０Ｖであり、出力電圧上限値が４５Ｖである。ＰＶパネル１０Ａ〜１０Ｄの出力電圧は４０Ｖであるので、第１の状態では、ＭＰＰＴ子機２０Ａ〜２０Ｄは、ＤＣＤＣ部２５による昇圧動作も降圧動作もしていない。
【０１４０】
（Ｂ）第２の状態では、第１の状態から変化し、ＰＶパネル１０Ａの受光面の一部に影が入り込んだ場合の実動作電圧／出力電圧上限値の結果を示している。図１６〜図１８では、ＭＰＰＴ子機２０Ａの実動作電圧が１５Ｖに低下し、ＭＰＰＴ子機２０Ｂ〜２０Ｄの実動作電圧が４５Ｖに増大される。
【０１４１】
なお、第２の状態において、ＭＰＰＴ子機２０Ａは通信可能状態にある。更に、ＰＶパネル１０Ａの出力電圧が例えば０〜５Ｖであり、ＰＶパネル１０Ａからの電力不足によりＭＰＰＴ子機２０Ａが動作できない場合でも、ＭＰＰＴ子機２０Ａは、第２の電力供給源からの電力供給を受けて、例えば実動作電圧が１５Ｖの状態で動作できる。つまり、第２の状態では、例えば単なる通信障害は発生していない。
【０１４２】
第２の状態では、パワーコンディショナ５０は、パワーコンディショナ５０のＭＰＰＴ制御によりＭＰＰＴ子機２０Ａの実動作電圧の低下分を補おうとするので、ＭＰＰＴ子機２０Ｂ〜２０Ｄの実動作電圧が増大している。ただし、ここでは出力電圧の上限値は４５Ｖであるので、ＭＰＰＴ子機２０Ｂ〜２０Ｄの出力電圧は４５Ｖ以上にはならない。
【０１４３】
（Ｃ）第３の状態では、第２の状態から変化し、ＭＰＰＴ子機２０Ａ〜２０Ｄの出力電圧の上限値が増大された場合の実動作電圧／出力電圧上限値の結果を示している。図１６〜図１８では、ＭＰＰＴ子機２０Ａの出力電圧上限値が４５Ｖに維持され、ＭＰＰＴ子機２０Ｂ〜２０Ｄの出力電圧上限値が５３Ｖに変更されている。
【０１４４】
ＭＰＰＴ子機２０Ｂ〜２０Ｄの出力電圧上限値は、ＭＰＰＴ親機３０により変更される。ＭＰＰＴ親機３０は、例えば日陰によりＰＶストリングの一部のＭＰＰＴ子機２０の出力電圧が低下したことを検出すると、出力電圧が低下したＭＰＰＴ子機２０Ａ以外のＭＰＰＴ子機２０Ｂ〜２０Ｄの出力電圧上限値を増大させる。
【０１４５】
例えば、ＭＰＰＴ子機２０Ｂ〜２０Ｄの出力電圧上限値を、以下のように決定する。パワーコンディショナ５０は、パワーコンディショナ５０のＭＰＰＴ制御により、ＭＰＰＴ子機２０Ａの出力電圧が変化した後においても、ストリング電圧を１６０Ｖに維持するよう制御する。例えば、ＭＰＰＴ親機３０は、ＭＰＰＴ子機２０Ａの低下分２５Ｖを補償可能とするよう、１台あたり２５Ｖ／３≒８Ｖ分増大させ、ＭＰＰＴ子機２０Ｂ〜２０Ｄの出力電圧上限値を、４５Ｖ＋８Ｖ＝５３Ｖに増大させる。
【０１４６】
（Ｄ）第４の状態では、第３の状態における出力電圧の上限値の増大に伴い、ＭＰＰＴ子機２０Ａ〜２０Ｄの動作電圧が上昇した場合の実動作電圧／出力電圧上限値の結果を示している。図１６〜図１８では、ＭＰＰＴ子機２０Ａの出力電圧は１５Ｖに維持され、ＭＰＰＴ子機２０Ｂの出力電圧は４８Ｖに変化している。
【０１４７】
ＭＰＰＴ子機２０Ａ〜２０Ｄの出力電圧上限値が変更されると、ＭＰＰＴ子機２０Ａ〜２０Ｄは出力電圧を更に増大できる。例えば、ＭＰＰＴ子機２０Ａの出力電圧が変化した後においても、ストリング電圧を１６０Ｖに維持するよう制御する。これにより、ＭＰＰＴ子機２０Ａの低下分２５Ｖを補償可能とするよう、ＭＰＰＴ子機２０Ｂ〜２０Ｄの出力電圧は、出力変化前から１台あたり２５Ｖ／３≒８Ｖ分増大するので、４０Ｖ＋８Ｖ＝４８Ｖに変化する。なお、４８Ｖへの変化はあくまでも一例であり、他の電圧へ変化することも想定される。例えば、変更後の出力電圧上限値と同じ５３Ｖに変化することも考えられる。
【０１４８】
（Ｅ）第５の状態では、第４の状態の後、ＭＰＰＴ子機２０Ａが通信不可状態となり、ＭＰＰＴ子機２０Ｂ〜２０ＤがＭＰＰＴ親機３０から出力制御指令を受けた場合の実動作電圧／出力電圧上限値の結果を示している。（Ｅ）における「×」印は、ＭＰＰＴ親機３０がＭＰＰＴ子機２０Ａから検出情報を受信しなかったために、実動作電圧が不明であることを示している。なお、図１６〜図１８では、ＭＰＰＴ親機３０が、ＭＰＰＴ子機２０Ａの発電ありと推定した場合を想定している。
【０１４９】
図１６に示す第１例では、ＭＰＰＴ親機３０は、第３の状態において増大されたＭＰＰＴ子機２０Ｂ〜２０Ｄの出力電圧の上限値を低下させる。この場合、ＭＰＰＴ親機３０が、ＭＰＰＴ子機２０Ｂ〜２０Ｄの出力電圧の上限値を低下させる出力制御指令を、ＭＰＰＴ子機２０Ｂ〜２０Ｄへ送信する。
【０１５０】
ＭＰＰＴ子機２０Ｂ〜２０Ｄの制御部２６は、ＭＰＰＴ親機３０からの出力制御指令を受信すると、出力制御指令に応じて、出力電圧の上限値を低下させる。図１６では、ＭＰＰＴ子機２０Ｂ〜２０Ｄの制御部２６は、出力電圧の上限値を４５Ｖに変更する。ＭＰＰＴ子機２０Ｂ〜２０Ｄの制御部２６は、出力電圧の上限値を４５Ｖに変化したことに伴い、実動作電圧も４５Ｖになるよう、ＤＣＤＣ部２５のスイッチ部２５Ｓのデューティ比を制御する。
【０１５１】
このように、出力電圧の上限値を低下させる出力制御指令を送信することで、ＭＰＰＴ子機２０Ｂ〜２０Ｄの実動作電圧が上限値以下になる。従って、パワーコンディショナ５０が許容可能な電圧以下となるようストリング電圧を調整できる。
【０１５２】
図１７に示す第２例では、ＭＰＰＴ子機２０Ｂ〜２０Ｄにおける昇降圧動作を禁止する。この場合、ＭＰＰＴ親機３０が、ＭＰＰＴ子機２０Ｂ〜２０Ｄの昇降圧動作を禁止する出力制御指令を、ＭＰＰＴ子機２０Ｂ〜２０Ｄへ送信する。
【０１５３】
ＭＰＰＴ子機２０Ｂ〜２０Ｄの制御部２６は、ＭＰＰＴ親機３０からの出力制御指令を受信すると、出力制御指令に応じて、昇降圧動作を禁止する。ＭＰＰＴ子機２０Ｂ〜２０Ｄの制御部２６は、昇降圧動作を禁止する場合、例えば、スイッチ部２１をオフにしてＤＣＤＣ部２５により昇圧及び降圧を禁止するよう制御し、又は、スイッチ部２１をオンにするよう制御する。
【０１５４】
図１７では、ＭＰＰＴ子機２０Ｂ〜２０Ｄの出力電圧の上限値が５３Ｖに維持されているが、昇降圧動作の禁止により実動作電圧が、昇降圧動作をしていない初期状態の４０Ｖに変化することを例示している。
【０１５５】
このように、昇降圧動作を禁止する出力制御指令を送信することで、ＭＰＰＴ子機２０の出力電圧がＰＶパネル１０の最大出力可能電圧（例えば４０Ｖ）以下となる。従って、パワーコンディショナ５０が許容可能な電圧以下となるようストリング電圧を調整できる。
【０１５６】
図１８に示す第３例では、ＭＰＰＴ子機２０Ｂ〜２０Ｄにおける昇圧動作を禁止する。この場合、ＭＰＰＴ親機３０が、ＭＰＰＴ子機２０Ｂ〜２０Ｄの昇圧動作を禁止する出力制御指令を、ＭＰＰＴ子機２０Ｂ〜２０Ｄへ送信する。
【０１５７】
ＭＰＰＴ子機２０Ｂ〜２０Ｄの制御部２６は、ＭＰＰＴ親機３０からの出力制御指令を受信すると、出力制御指令に応じて、昇降動作を禁止する。ＭＰＰＴ子機２０Ｂ〜２０Ｄの制御部２６は、昇降動作を禁止する場合、例えば、スイッチ部２１をオフにしてＤＣＤＣ部２５により昇圧を禁止するよう制御し、又は、スイッチ部２１をオンにするよう制御する。
【０１５８】
図１８では、ＭＰＰＴ子機２０Ｂ〜２０Ｄの出力電圧の上限値が５３Ｖに維持されているが、昇圧動作の禁止により実動作電圧が初期状態の４０Ｖに変化することを例示している。
【０１５９】
このように、昇圧動作を禁止する出力制御指令を送信することで、ＭＰＰＴ子機２０の出力電圧がＰＶパネル１０の最大出力可能電圧（例えば４０Ｖ）以下となる。従って、パワーコンディショナ５０が許容可能な電圧以下となるようストリング電圧を調整できる。
【０１６０】
例えば、図１６〜図１８の（Ｅ）の状態においてＰＶパネル１０Ａに影が入り込まなくなった場合、ＰＶパネル１０Ａの実動作電圧が例えば４０Ｖになると、（Ｄ）の状態からＭＰＰＴ子機２０の出力を制限しない場合、パワーコンディショナ５０が例えば停止した時にＰＶストリング１１Ａの電圧が１８４Ｖとなる可能性がある。パワーコンディショナ５０が停止している場合には、例えば、パワーコンディショナ５０の起動前、パワーコンディショナ５０の電源が切れた場合、が含まれる。仮にパワーコンディショナ５０の最大入力可能電圧が１８０Ｖであったとすると、パワーコンディショナ５０への電気的な負荷が過大となる。
【０１６１】
図１６〜図１８の処理によれば、例えば影によりＭＰＰＴ子機２０Ａの発電量が減少して他のＭＰＰＴ子機２０Ｂ〜２０Ｄの出力電圧の上限を増大した場合に、ＭＰＰＴ子機２０Ａが通信不可状態となっても、ＰＶパネル１０Ａの発電の有無を推定する。従って、ＰＶパネル１０Ａの発電の有無に基づいて、ＭＰＰＴ子機２０Ｂ〜２０Ｄの出力を適切に制御でき、パワーコンディショナ５０への電気的な負荷を抑制できる。
【０１６２】
（上述した実施形態の変形例に至る経緯）
上述した実施形態では、ＭＰＰＴ親機とＭＰＰＴ子機との間の通信にはＤＥＣＴ通信が用いられることを説明した。ここで、ＤＥＣＴ通信を用いた従来の通信ネットワークとして、窓センサネットワークが知られている。窓センサネットワークでは、窓の開閉状態を検知するセンサ機能と窓の開閉状態を親機に送信する通信機能とを含む子機が窓に取り付けられ、例えば人が窓を開けると、子機は、窓が開けられた状態を検知し、窓が開けられたことを、親機からの通信指令を受けることなく、子機主導でＤＥＣＴ通信によって親機に送信する。
【０１６３】
ここで、上述した実施形態の太陽光発電システムのＭＰＰＴ親機とＭＰＰＴ子機との間に、上述した窓センサネットワークにおけるＤＥＣＴ通信を適用することを想定してみる。例えば１個のＭＰＰＴ親機が管轄（管理）するＭＰＰＴ子機の設置台数が多い場合には（例えば１２８台）、各ＭＰＰＴ子機が自己に接続されたＰＶパネルの検出情報を１台のＭＰＰＴ親機に一斉に送信すると、送信タイミングの重複などによって通信の衝突が生じ易くなる。このため、ＭＰＰＴ親機が全てのＭＰＰＴ子機から各ＰＶパネルの検出情報を受信するまでに時間がかかりすぎる。
【０１６４】
そこで、上述した実施形態の変形例（以下、単に「本変形例」という）では、ＭＰＰＴ親機とＭＰＰＴ子機との間にＤＥＣＴ通信を用いた場合に、ＭＰＰＴ親機に対応した親機ネットワークに属する全てのＭＰＰＴ子機に接続された各ＰＶパネルの検出情報を全てのＭＰＰＴ子機から短時間に受信することができる制御装置の一例としてのＭＰＰＴ親機の例について説明する。
【０１６５】
（本変形例）
図１９は、本変形例の太陽光発電システム１００Ａの構成例を示すブロック図である。太陽光発電システム１００Ａは、ディスプレイ装置ＤＰが接続されたコーディネータ端末７０と、ｎ台（ｎ：２以上の整数。以下同様。）のＭＰＰＴ親機３０１〜３０ｎと、ｎ台の接続箱４０１〜４０ｎと、各ＭＰＰＴ親機に対応した親機ネットワークとを備える。コーディネータ端末７０とｎ台のＭＰＰＴ親機３０１〜３０ｎとは、ネットワークＮＷを介して接続されている。ネットワークＮＷは、無線ネットワークでも良いし、有線ネットワークでも良い。
【０１６６】
ｎ台の親機ネットワークは、具体的には、例えばＭＰＰＴ親機３０１に対応した親機ネットワーク３０ＮＷ１〜ＭＰＰＴ親機３０ｎに対応した親機ネットワーク３０ＮＷｎである。
【０１６７】
なお、太陽光発電システム１００Ａの各部の動作が同一であるものについては、上述した実施形態の太陽光発電システム１００の各部と同一又は同様な符号を用いて説明を省略又は簡略化し、以下、異なる内容について説明する。
【０１６８】
親機ネットワーク３０ＮＷ１では、４台のＰＶパネル１０Ａ１，１０Ｂ１，１０Ｃ１，１０Ｄ１が１個のＰＶストリングを形成するように直列接続され、１台のＭＰＰＴ子機２０Ａ１は、例えばＰＶパネル１０Ａ１に接続して設けられ、ＰＶパネル１０Ａ１の発電電力（発電量）を制御する。但し、ＭＰＰＴ子機は、同一のＰＶストリングを形成する他のＰＶパネル１０Ｂ１，１０Ｃ１，１０Ｄ１のうち、１台、複数台又は全てに対応して接続されても良い。また、親機ネットワーク３０ＮＷ１では、４個のＰＶパネル１０Ｅ１，１０Ｆ１，１０Ｇ１，１０Ｈ１が１個のＰＶストリングを形成するように直列接続され、１台のＭＰＰＴ子機２０Ｈ１は、例えばＰＶパネル１０Ｈ１に接続して設けられ、ＰＶパネル１０Ｈ１の発電電力（発電量）を制御する。但し、ＭＰＰＴ子機は、同一のＰＶストリングを形成する他のＰＶパネル１０Ｅ１，１０Ｆ１，１０Ｇ１のうち、１台、複数台又は全てに対応して接続されても良い。
【０１６９】
他の親機ネットワークにおいても親機ネットワーク３０ＮＷ１と同様な構成であり、親機ネットワーク３０ＮＷｎでは、４台のＰＶパネル１０Ａｎ，１０Ｂｎ，１０Ｃｎ，１０Ｄｎが１個のＰＶストリングを形成するように直列接続され、１台のＭＰＰＴ子機２０Ａｎは、例えばＰＶパネル１０Ａｎに接続して設けられ、ＰＶパネル１０Ａｎの発電電力（発電量）を制御する。但し、ＭＰＰＴ子機は、同一のＰＶストリングを形成する他のＰＶパネル１０Ｂｎ，１０Ｃｎ，１０Ｄｎのうち、１台、複数台又は全てに対応して接続されても良い。また、親機ネットワーク２０ＮＷｎでは、４台のＰＶパネル１０Ｅｎ，１０Ｆｎ，１０Ｇｎ，１０Ｈｎが１個のＰＶストリングを形成するように直列接続され、１台のＭＰＰＴ子機２０Ｈｎは、例えばＰＶパネル１０Ｈｎに接続して設けられ、ＰＶパネル１０Ｈｎの発電電力（発電量）を制御する。但し、ＭＰＰＴ子機は、同一のＰＶストリングを形成する他のＰＶパネル１０Ｅｎ，１０Ｆｎ，１０Ｇｎのうち、１台、複数台又は全てに対応して接続されても良い。
【０１７０】
図１９に示す太陽光発電システム１００Ａでは、各々のＭＰＰＴ子機の具体的な構成は図２〜図４のうちいずれかに示すＭＰＰＴ子機２０と同一であり、各々のＭＰＰＴ親機の具体的な構成は図６に示すＭＰＰＴ親機３０と同一であるため、以下の説明では、必要に応じて図２〜図４又は図６を参照する。
【０１７１】
ＭＰＰＴ子機２０Ａ１は、ＭＰＰＴ親機３０１から送信されたページング指令（要求指令、後述参照）に応じて、例えばＰＶパネル１０Ａ１に対する図２に示す電流電圧検出部２３，２４の検出値（例えばＰＶパネル１０Ａ１からの入力側検出電流の検出値と入力側検出電圧の検出値）の情報（以下、「検出情報」又は「子機データ」ともいう）をＭＰＰＴ親機３０１に返信する。また、ＭＰＰＴ子機２０Ｈ１は、ＭＰＰＴ親機３０１から送信されたページング指令（要求指令、後述参照）に応じて、例えばＰＶパネル１０Ｈ１に対する図２に示す電流電圧検出部２３，２４の検出値（例えばＰＶパネル１０Ｈ１からの入力側検出電流の検出値と入力側検出電圧の検出値）の情報（「検出情報」又は「子機データ」）をＭＰＰＴ親機３０１に返信する。
【０１７２】
同様に、ＭＰＰＴ子機２０Ａｎは、ＭＰＰＴ親機３０ｎから送信されたページング指令（要求指令、後述参照）に応じて、例えばＰＶパネル１０Ａｎに対する図２に示す電流電圧検出部２３，２４の検出値（例えばＰＶパネル１０Ａｎからの入力側検出電流の検出値と入力側検出電圧の検出値）の情報（「検出情報」又は「子機データ」）をＭＰＰＴ親機３０ｎに返信する。また、ＭＰＰＴ子機２０Ｈｎは、ＭＰＰＴ親機３０ｎから送信されたページング指令（要求指令、後述参照）に応じて、例えばＰＶパネル１０Ｈｎに対する図２に示す電流電圧検出部２３，２４の検出値（例えばＰＶパネル１０Ｈｎからの入力側検出電流の検出値と入力側検出電圧の検出値）の情報（「検出情報」又は「子機データ」）をＭＰＰＴ親機３０ｎに返信する。
【０１７３】
ＭＰＰＴ親機３０１〜３０ｎの動作はそれぞれ同様であり、ＭＰＰＴ親機３０１〜３０ｎ及びコーディネータ端末７０の動作については、図２０〜図２３を参照して詳述する。コーディネータ端末７０は、例えばＰＣ（Personal Computer）であり、図６に示すＭＰＰＴ親機と同様な構成（例えば制御部、通信部、メモリ、電源部）を有する。
【０１７４】
ディスプレイ装置ＤＰは、例えばコーディネータ端末７０のユーザの一例としてのシステム管理者の入力操作に応じて、コーディネータ端末７０において保存されている検出情報（子機データ）を表示する。
【０１７５】
（本変形例の１台のＭＰＰＴ親機と複数台のＭＰＰＴ子機との間のページング方式によるＤＥＣＴ通信の動作概要）
次に、本変形例の１台のＭＰＰＴ親機＃１と複数台のＭＰＰＴ子機＃１〜＃１２８との間のページング方式によるＤＥＣＴ通信の動作概要について、図２０を参照して説明する。図２０は、本変形例の１台のＭＰＰＴ親機＃１と複数台のＭＰＰＴ子機＃１〜＃１２８との間におけるページング方式によるＤＥＣＴ通信の動作説明図である。
【０１７６】
なお、図２０及び図２１の説明を分かり易くするために、１台のＭＰＰＴ親機＃１に対応した親機ネットワークに属するＭＰＰＴ子機の台数は１２８とし、図２０及び図２１では、第１番目のＭＰＰＴ子機を便宜的に「子機＃１」と記載し、以下同様にして、第１２８番目のＭＰＰＴ子機を便宜的に「子機＃１２８」と記載する。
【０１７７】
図２０において、本変形例の太陽光発電システム１００Ａでは、（ＭＰＰＴ）親機＃１は、例えば制御部３１において（図６参照）、合計１２８台の（ＭＰＰＴ）子機＃１〜＃１２８から、所定台（所定個）（例えば３台（３個））の異なる子機を、所定の切替周期（ページング周期ＰＧ）毎に切り替えて選択する。制御部３１は、発電制御装置選択部の一例である。親機＃１は、通信部３７において（図６参照）、子機が接続されたＰＶパネルの出力に基づく出力情報（以下、「検出情報」又は「子機データ」という）を取得するためのページング指令（要求指令）を、選択された所定個（例えば３個）の異なる子機に同時に送信する。
【０１７８】
また、親機＃１は、通信部３７において（図６参照）、所定の出力情報収集周期（子機データ収集周期ＤＣ）内に、親機＃１に対応した親機ネットワークに属する全ての子機＃１〜＃１２８に対して、各子機の検出情報（子機データ）を取得するためのページング指令（要求指令）を送信し、全ての子機からの検出情報（子機データ）を受信する。子機データ収集周期ＤＣは、親機＃１から全ての子機＃１〜＃１２８にページング指令（要求指令）が送信されるための期間と、親機＃１が例えば通信障害が生じている子機に対してページング指令（要求指令）を再送させるための所定のページング予備期間ＢＰとを含む。
【０１７９】
これにより、親機＃１は、例えば親機＃１との間の通信障害（例えば同期外れ）が生じた場合でも、子機からの検出情報（子機データ）の再送を子機に要求することができるので、通信障害が回復した場合に子機からの検出情報（子機データ）を取得することができる。
【０１８０】
具体的には、図２０に示すように、親機＃１は、最初（図２０中の左側）の子機データ収集周期ＤＣの最初（図２０中の最左側）のページング周期ＰＧ（例えば１６０ミリ秒）では、異なる３個の子機＃１〜＃３を選択し、選択された子機＃１〜＃３の検出情報（子機＃１データ〜子機＃３データ）の要求指令をページング指令として子機＃１〜＃３に同時に送信する。但し、同時ページングの対象となる子機の個数（台数）は３個（台）に限定されず、図２２に示すように、予めシミュレーション又は実測によって決定されても良い（後述参照）。
【０１８１】
また、親機＃１は、最初（図２０中の左側）の子機データ収集周期ＤＣの第２番目のページング周期ＰＧでは、異なる３個の子機＃４〜＃６を選択し、選択された子機＃４〜＃６の検出情報（子機＃４データ〜子機＃６データ）の要求指令をページング指令として子機＃４〜＃６に同時に送信する。親機＃１は、親機＃１に対応した親機ネットワークに属する最後の子機＃１２８まで、異なる３個の子機の選択を繰り返し、選択された子機の検出情報（子機データ）の要求指令をページング指令として同時に送信する。なお、親機＃１は、親機＃１に対応した親機ネットワークに属する最後の子機＃１２８を選択する場合、最後の子機＃１２８を含む残りの未選択の子機が所定個未満である場合には、最後の子機＃１２８を含む所定個未満の子機を選択しても良い。
【０１８２】
次に、親機＃１は、第２番目（図２０中の右側）の子機データ収集周期ＤＣの最初のページング周期ＰＦでは、第１番目の子機データ収集周期ＤＣと同様に異なる子機＃１〜＃３を選択し、選択された子機＃１〜＃３の検出情報（子機＃１データ〜子機＃３データ）の要求指令をページング指令として子機＃１〜＃３に同時に送信する。
【０１８３】
また、親機＃１は、第２番目（図２０中の右側）の子機データ収集周期ＤＣの第２番目のページング周期ＰＦでは、異なる３個の子機＃４〜＃６を選択し、選択された子機＃４〜＃６の検出情報（子機＃４データ〜子機＃６データ）の要求指令をページング指令として子機＃４〜＃６に同時に送信する。
【０１８４】
ところが、例えば子機＃５と親機＃１との間の同期が外れて通信障害が生じた場合には、親機＃１は、子機＃５に要求指令を送信することもできないし、子機＃５の検出情報（子機＃５データ）を受信することもできない。この場合には、親機＃１は、第２番目（図２０中の右側）の子機データ収集周期ＤＣの第３番目のページング周期ＰＦにおいて、通信障害が生じた子機＃５を再度選択することで、異なる３個の子機として子機＃５，＃７，＃８を選択する。親機＃１は、選択された子機＃５，＃７，＃８の検出情報（子機＃５データ，子機＃７データ，子機＃８データ）の要求指令をページング指令として子機＃５，＃７，＃８に同時に送信する。
【０１８５】
（本変形例の１台のＭＰＰＴ親機と複数台のＭＰＰＴ子機との間のページング方式によるＤＥＣＴ通信の動作手順）
次に、本変形例の１台のＭＰＰＴ親機＃１と複数台のＭＰＰＴ子機＃１〜＃１２８との間におけるページング方式によるＤＥＣＴ通信の動作手順について、図２１を参照して説明する。図２１は、本変形例の１台のＭＰＰＴ親機＃１と複数台のＭＰＰＴ子機＃１〜＃１２８との間におけるページング方式によるＤＥＣＴ通信の動作手順を説明するシーケンス図である。
【０１８６】
図２１において、親機＃１は、図２１中の子機データ収集周期ＤＣの最初（図２１中の上側）のページング周期ＰＧでは、例えば３個の異なる子機＃１〜＃３を選択し、選択された子機＃１〜＃３の検出情報（子機＃１データ〜子機＃３データ）の要求指令をページング指令として子機＃１〜＃３に同時に送信する（Ｓ２１）。子機＃１〜＃３は、親機＃１から送信されたページング指令に応じて、親機＃１との間の通信ネゴシエーションによって通信路を確立できた場合に、通信路を確立した順に子機＃１データ〜子機＃３データを親機＃１に返信する（Ｓ２２〜Ｓ２４）。例えば図２１では、子機＃１，子機＃２，子機＃３の順に、子機＃１データ，子機＃２データ，子機＃３データが親機＃１に返信される。
【０１８７】
親機＃１は、子機＃１〜＃３から返信された子機＃１データ〜子機＃３データを受信した後、第２番目のページング周期ＰＧでは、例えば３個の異なる子機＃４〜＃６を選択し、選択された子機＃４〜＃６の検出情報（子機＃４データ〜子機＃６データ）の要求指令をページング指令として子機＃４〜＃６に同時に送信する（Ｓ２５）。子機＃４〜＃６のうち、子機＃４，＃６は、親機＃１との間の通信ネゴシエーションによって通信路を確立できた場合に、通信路を確立した順に子機＃４データ，子機＃６データを親機＃１に返信する（Ｓ２６，Ｓ２７）。
【０１８８】
ここで、子機＃５は、例えば時刻ｔ１〜ｔ２の間に親機＃１との間の同期が外れたなどの影響によって親機＃１との間の通信ネゴシエーションが成功せず、親機＃１との間の通信路を確立できなかったとする。この場合、子機＃５は、親機＃１から送信された要求指令を受信しないので、子機＃５データを親機＃１に返信することができない。即ち、親機＃１は、ページング周期ＰＧ内に、子機＃５データを子機＃５から受信することができない。
【０１８９】
本変形例では、親機＃１は、第２番目のページング周期ＰＧでは子機＃５から子機＃５データを受信できなかったので、第３番目のページング周期ＰＧに、子機＃５を含む３個の異なる子機＃５，子機＃７，子機＃８を選択し、選択された子機＃５，子機＃７，子機＃８の検出情報（子機＃５データ，子機＃７データ，子機＃８データ）の要求指令をページング指令として子機＃５，子機＃７，子機＃８に同時に送信する（Ｓ２８）。即ち、親機＃１は、子機＃５に対しては、子機＃５データの要求指令をページング指令として子機＃５に再送する（Ｓ２８）。
【０１９０】
子機＃５，子機＃７，子機＃８は、親機＃１から送信されたページング指令に応じて、親機＃１との間の通信ネゴシエーションによって通信路を確立できた場合に、通信路を確立した順に子機＃５データ，子機＃７データ，子機＃８データを親機＃１に返信する（Ｓ２９〜Ｓ３１）。例えば図２１では、子機＃７，子機＃８，子機＃５の順に、子機＃７データ，子機＃８データ，子機＃５データが親機＃１に返信される。即ち、第３番目のページング周期ＰＧでは、子機＃５と親機＃１との間の通信路が確立できているので（図２１参照）、子機＃５は、子機＃５データを親機＃１に返信することができる（Ｓ３１）。
【０１９１】
以下同様にして、親機＃１は、親機＃１に対応した親機ネットワークに属する最後の子機＃１２８まで、異なる３個の子機の選択を繰り返し、選択された子機の検出情報（子機データ）の要求指令をページング指令として同時に送信する（Ｓ３９）。子機＃１２８は、親機＃１との間の通信ネゴシエーションによって通信路を確立できた場合に、子機＃１２８データを親機＃１に返信する（Ｓ４０）。
【０１９２】
図２２は、同時ページングの対象となる子機の個数の最適値を測定するためのシミュレーション結果を示すグラフである。本変形例では、親機＃１と親機＃１に対応した親機ネットワークに属する複数台の子機との間の通信が開始する前に、図２２に示すシミュレーション又は実測によって、親機＃１が同時にページング指令を送信する子機の台数の最適値が決定される。例えば図２２では、同時ページングの対象となる子機が８台であれば、親機＃１が合計１２８台の子機から子機データを収集する所要時間が最も短い。
【０１９３】
なお、親機＃１は、周囲の通信環境（例えば他のＤＥＣＴシステムが存在する環境）に応じて、同時ページングの対象となる子機の台数の最適値を動的に変更しても良い。これにより、親機＃１は、周囲の通信環境に応じて、同時ページングの対象となる子機の台数の最適値を動的に変更でき、全ての子機からの子機データを収集する所要時間を低減できる。
【０１９４】
例えば第１の方法では、親機＃１は、ページング周期毎に、同時ページング台数の数値を所定の最小値（例えば２）から所定の最大値（例えば１４）まで順に変化させ、１２８台の子機からの子機データの受信に要した所要時間の最小値が得られた同時ページング台数の数値を、目的のページング台数の最適値として決定する。
【０１９５】
また第２の方法では、親機＃１は、ページング周期毎に、同時ページング台数の数値を所定の初期値（例えば８）から開始して１２８台の子機からの子機データの受信に要した所要時間を測定し、次に「初期値＋１」個又は「初期値−１」個を同時ページング台数の数値に変更して１２８台の子機からの子機データの受信に要した所要時間を測定する。親機＃１は、例えば所定の最小値（例えば２）から所定の最大値（例えば１４）の範囲において、初期値（例えば８）から開始した１２８台の子機からの子機データの受信に要した所要時間を測定した結果、１２８台の子機からの子機データの受信に要した所要時間の最小値が得られた同時ページング台数の数値を、目的のページング台数の最適値として決定する。
【０１９６】
（本変形例の１台のコーディネータ端末と複数台のＭＰＰＴ親機との間のコーディネータ方式による通信の動作手順）
次に、本変形例の１台のコーディネータ端末と複数台（例えば４台）のＭＰＰＴ親機との間におけるコーディネータ方式による通信の動作手順について、図２３を参照して説明する。図２３は、本変形例の１台のコーディネータ端末と複数台（例えば４台）のＭＰＰＴ親機との間におけるコーディネータ方式による通信の動作手順を説明するシーケンス図である。
【０１９７】
なお、図２３の説明を分かり易くするために、１個のコーディネータ端末７０が管轄（管理）するＭＰＰＴ親機の個数を４とし、図２３では、第１番目，第２番目，第３番目，第４番目のＭＰＰＴ親機を便宜的に「親機＃１」，「親機＃２」，「親機＃３」，「親機＃４」と記載する。
【０１９８】
図２３において、コーディネータ端末７０は、親機データ収集周期ＤＣＰ（例えば５分）毎に、コーディネータ端末７０が管轄（管理）する全ての親機＃１〜親機＃４から、各々の親機＃１〜親機＃４が対応する親機ネットワークに属する全ての子機から収集した子機データを、親機＃１〜＃４の各親機データとして収集する。
【０１９９】
図２３では、親機データ収集周期ＤＣＰは、各親機＃１〜親機＃４に割り当てられた４回分の子機データ収集周期ＤＣ（例えば１分、図２０参照）と、所定のラウンドロビン予備期間ＲＰ（例えば１分）とを含む。コーディネータ端末７０は、親機データ収集周期ＤＣＰ毎に、コーディネータ端末７０が管轄（管理）する全ての親機＃１〜親機＃４をラウンドロビンさせることで、各親機＃１〜親機＃４が親機データをコーディネータ端末７０に返信させる順番を切り替える。
【０２００】
具体的には、図２３では、コーディネータ端末７０は、最初（図２３中の左側）の親機データ収集周期ＤＣＰでは、最初（図２３中の最左側）の子機データ収集周期ＤＣから第４番目の子機データ収集周期ＤＣにおいて、親機＃１，親機＃２，親機＃３，親機＃４の順に、各親機データをコーディネータ端末７０に返信させるように、各親機＃１〜親機＃４の送信順序（返信順序）を切り替えて決定する。
【０２０１】
更に、コーディネータ端末７０は、第２番目の親機データ収集周期ＤＣＰでは、最初の親機データ収集周期ＤＣＰにおいて送信順序（返信順序）が最後だった親機（図２３に示す最初の親機データ収集周期ＤＣＰでは親機＃４）の送信順序（返信順序）を最初に割り当て、更に、最初の親機データ収集周期ＤＣＰにおいて送信順序（返信順序）が第１番目〜第３番目だった親機（図２３に示す最初の親機データ収集周期ＤＣＰでは親機＃１〜親機＃３）の送信順序（返信順序）を第２番目〜第４番目に割り当てる。即ち、コーディネータ端末７０は、第２番目の親機データ収集周期ＤＣＰでは、最初の子機データ収集周期ＤＣから第４番目の子機データ収集周期ＤＣにおいて、親機＃４，親機＃１，親機＃２，親機＃３の順に、各親機データをコーディネータ端末７０に返信させるように、各親機＃１〜親機＃４の送信順序（返信順序）を切り替えて決定する。
【０２０２】
上述したコーディネータ端末７０からの送信順序（返信順序）の割り当てを受け、図２３に示す最初の親機データ収集周期ＤＣＰの最初（図２３中の最左側）の子機データ収集周期ＤＣでは、親機＃１は、時刻ｔ３〜時刻ｔ４の間に、親機＃１に対応した親機ネットワークに属する全ての子機から子機データを収集する（Ｓ５１）。即ち、時刻ｔ３〜時刻ｔ４は、親機＃１が自己に対応した親機ネットワークに属する全ての子機から各子機データを収集するまでに要した実通信時間であり、時刻ｔ４から最初の親機データ収集周期ＤＣＰの終了時刻までは親機＃１に対応した親機ネットワークに属する全ての子機が自己の子機データを親機＃１に再送可能な再送時間ＲＴ１１である。なお、各親機が自己に対応した親機ネットワークに属する全ての子機から各子機データを収集する方法は、図２０及び図２１を参照して説明したので、ここでは説明を割愛する。
【０２０３】
また、最初の親機データ収集周期ＤＣＰの第２番目〜第４番目の各子機データ収集周期ＤＣでは、親機＃２〜親機＃４は、親機＃２〜親機＃４に対応した各親機ネットワークに属する全ての子機から子機データを収集する（Ｓ５２，Ｓ５３，Ｓ５４）。同様に、各親機＃２〜親機＃４の実通信時間の終了時刻から最初の親機データ収集周期ＤＣＰの終了時刻までは親機＃２〜親機＃４に対応した各親機ネットワークに属する全ての子機が自己の子機データを親機＃２〜親機＃４に再送可能な再送時間ＲＴ１２，ＲＴ１３，ＲＴ１４である。
【０２０４】
次に、図２３に示す第２番目（図２３中の右側）の親機データ収集周期ＤＣＰの最初の子機データ収集周期ＤＣでは、親機＃４は、親機＃４に対応した親機ネットワークに属する全ての子機から子機データを収集する（Ｓ５５）。親機＃４の実通信時間の終了時刻から第２番目の親機データ収集周期ＤＣＰの終了時刻までは親機＃４に対応した親機ネットワークに属する全ての子機が自己の子機データを親機＃４に再送可能な再送時間ＲＴ２４である。
【０２０５】
また、第２番目の親機データ収集周期ＤＣＰの第２番目〜第４番目の各子機データ収集周期ＤＣでは、親機＃１〜親機＃３は、親機＃１〜親機＃３に対応した各親機ネットワークに属する全ての子機から子機データを収集する（Ｓ５６，Ｓ５７，Ｓ５８）。同様に、各親機＃１〜親機＃３の実通信時間の終了時刻から最初の親機データ収集周期ＤＣＰの終了時刻までは親機＃１〜親機＃３に対応した各親機ネットワークに属する全ての子機が自己の子機データを親機＃１〜親機＃３に再送可能な再送時間ＲＴ２１，ＲＴ２２，ＲＴ２３である。
【０２０６】
なお、ステップＳ５７では、親機＃２の実通信時間が親機＃２に割り当てられた子機データ収集周期ＤＣを超過しているが、これは、例えば親機＃２に対応した親機ネットワークに属する全ての子機のうち一部の子機に接続されたＰＶパネルに雲が差し込んだ場合に、ＰＶパネルの発電量の低下に伴って一部の子機の電源が供給されずに動作しなくなったことが原因として考えられる。しかし、親機＃３は、第３番目の子機データ収集周期ＤＣに開始された親機＃２の実通信時間が同子機データ収集周期ＤＣの終了時刻において終了していない場合でも、第４番目の子機データ収集周期ＤＣの開始時刻になると、図２０及び図２１を参照して説明した方法（ページング方式）によって自己に対応した親機ネットワークに属する全ての子機から各子機データの収集を開始する。
【０２０７】
以上により、本変形例の太陽光発電システム１００Ａでは、ＭＰＰＴ親機（例えば親機＃１）は、自己に対応した親機ネットワークに属する全てのＭＰＰＴ子機（例えば子機＃１〜＃１２８）との間では、所定のページング周期ＰＧ毎に、所定個（例えば３個）の異なるＭＰＰＴ子機を切り替えて選択する。ＭＰＰＴ親機（例えば親機＃１）は、選択されたＭＰＰＴ子機（例えば子機＃１〜＃３）に、選択された各ＭＰＰＴ子機に接続されたＰＶパネルの検出情報（子機データ）の要求指令をページング指令として同時に送信する。ＭＰＰＴ子機は、ＭＰＰＴ親機からのページング指令に応じて、自己に接続されたＰＶパネルの検出情報（子機データ）を同ページング周期内にＭＰＰＴ親機に返信する。
【０２０８】
また、ＭＰＰＴ親機（例えば親機＃１）は、通信障害（例えば同期外れ）が生じたためにページング周期ＰＧ内に特定のＭＰＰＴ子機（例えば子機＃５）から子機データ（例えば子機＃５データ）を受信しなかった場合、次のページング周期ＰＧに通信障害が生じたＭＰＰＴ子機（例えば子機＃５）を再度選択し、選択されたＭＰＰＴ子機（例えば子機＃５）を含む所定個（例えば３個）の異なるＭＰＰＴ子機に、子機データの要求指令をページング指令として同時に送信する。
【０２０９】
これにより、本変形例の太陽光発電システム１００Ａでは、ＭＰＰＴ親機は、自己に対応した親機ネットワークに属する全てのＭＰＰＴ子機に対し、ＭＰＰＴ子機が子機データを送信（返信）するための時間枠（タイムスロット）を主体的に割り当てることができ、所定個（例えば３個）以上のＭＰＰＴ子機同士が子機データを一斉に送信することを回避でき、効率よくＭＰＰＴ子機のデータを収集できる。従って、ＭＰＰＴ親機は、例えば所定個（例えば３個）未満のＭＰＰＴ子機同士が子機データを一斉に送信しても、子機データの通信衝突の発生頻度を低減できるので、従来のＤＥＣＴ通信を用いた窓センサネットワークにおける子機主導の通信に比べて、ＭＰＰＴ親機が全ての子機から各子機データを収集するための時間を短くできる。
【０２１０】
また、コーディネータ端末７０は、所定の親機データ収集周期ＤＣＰ毎に、自己が管轄（管理）する複数台のＭＰＰＴ親機間において、親機データの送信順序（返信順序）をラウンドロビンする。これにより、例えば図２３に示す最初の親機データ収集周期ＤＣＰではコーディネータ端末７０への送信順序が最後だった親機（例えば親機＃４）は、次の親機データ収集周期ＤＣＰではコーディネータ端末７０への送信順序が最初に割り当てられるので、自己に対応する親機ネットワークに属する全ての子機から各子機データを収集するための時間を長く確保することができる。即ち、各ＭＰＰＴ親機は、コーディネータ端末７０による各ＭＰＰＴ親機の送信順序（返信順序）のラウンドロビンによって、各ＭＰＰＴ親機間における各親機データの送信時間（返信時間）を均等且つ公平に確保することができる。
【０２１１】
なお、図２３を参照して説明したコーディネータ方式による通信では、ＭＰＰＴ親機同士は自己が管理するデータ伝送用の時間枠（タイムスロット）が互いに同期していることが好ましい。
【０２１２】
これにより、ＭＰＰＴ子機のデータ収集を行なっているＭＰＰＴ親機において、自己がビーコンを送信するためのタイムスロット、又は自己に対応する親機ネットワークに属するＭＰＰＴ子機と通信するためのタイムスロットが他のＭＰＰＴ親機がビーコンを送信するためのタイムスロットと重複することを回避できるので、通信の干渉を低減することができる。
【０２１３】
なお、図１９〜図２３を参照して説明した本変形例は、各親機＃１〜＃４が自装置（自己）に対応した親機ネットワークに属する子機＃１〜＃１２８から各ＰＶパネルの検出情報を短時間に収集する方法を開示したものである。このため、本変形例は、例えばＭＰＰＴ制御の機能を有さない子機及び親機を備えた太陽光発電システムにも適用可能である。即ち、本変形例を適用した太陽光発電システムを構成する子機及び親機は必ずしもＭＰＰＴ制御の機能を有さなくても良い。ここでのＭＰＰＴ制御とは、例えば、子機又は親機がＰＶパネルの出力を直接的に又は間接的に制御することである。
【０２１４】
よって、本変形例において、子機＃１〜＃１２８は、図２〜図４に示す各ＭＰＰＴ子機の構成から、ＰＶパネル１０の出力電圧及び出力電流を変換してＰＶストリングに出力するためのＤＣＤＣ部２５と、このＤＣＤＣ部２５をバイパスするためのスイッチ部２１と、このＤＣＤＣ部２５を制御するための制御部２６とを取り除いた構成でも良い。また、この場合、電流電圧検出部２３及び２４の検出値は実質的に同じとなるため、いずれか一方が取り除かれても良い。更に、子機＃１〜＃１２８において、電流電圧検出部が検出する対象は、例えばＰＶパネル１０の電圧及び電流のいずれか一方でも良い。以上より、本変形例を実施する場合、子機＃１〜＃１２８は、少なくとも、ＰＶパネル１０の出力電圧又は出力電流を検出するための検出部と、この検出部が検出した検出情報を親機＃１〜＃４のいずれかに無線にて送信するための通信部２７Ａ又は２７Ｂと、この通信部２７Ａ又は２７Ｂに電力を供給するための電源部２２と、を少なくとも備えれば良い。
【０２１５】
また、図１９の説明では、複数のＰＶパネル１０が直列に接続されるＰＶストリングを有する太陽光発電システム１００Ａを説明したが、図２１〜図２３を参照して説明した通信方法は、例えば複数のＰＶパネル１０が互いに並列に接続された太陽光発電システムにも適用可能である。但し、複数のＰＶパネル１０が互いに並列に接続された太陽光発電システムの場合、各ＰＶパネルが出力する電流は異なるため、各ＰＶパネル１０に対応して、ＭＰＰＴ子機２０又はＭＰＰＴ制御の機能を有さない子機が個別に接続される方が好ましい。
【０２１６】
なお、本発明は、上記実施形態の構成に限られるものではなく、特許請求の範囲で示した機能、または本実施形態の構成が持つ機能が達成できる構成であればどのようなものであっても適用可能である。
【０２１７】
（本発明の一態様の概要）
本発明の一態様の制御装置は、各太陽光パネルの発電量を制御する各発電制御装置を制御する制御装置であって、各発電制御装置からの各太陽光パネルの出力に基づく各出力情報を受信する出力情報受信部と、前記出力情報受信部により第１の発電制御装置から第１の出力情報を所定期間受信しない場合、前記第１の発電制御装置により制御される第１の太陽光パネルによる発電状態を推定する発電状態推定部と、前記発電状態推定部により推定された前記第１の太陽光パネルによる発電状態に基づいて、前記第１の発電制御装置の出力に応じて出力が変動する第２の発電制御装置へ、前記第２の発電制御装置の出力を制御するための出力制御指令を送信する出力制御指令送信部と、を備える。
【０２１８】
また、本発明の一態様の制御装置は、複数の太陽光パネルが直列に接続されてストリングが形成され、前記第１の太陽光パネルと前記第２の発電制御装置により制御される第２の太陽光パネルとは、第１のストリングに含まれる。
【０２１９】
また、本発明の一態様の制御装置は、前記発電状態推定部が、各第２の発電制御装置からの各第２の出力情報に基づいて、前記第１の太陽光パネルによる発電状態を推定する。
【０２２０】
また、本発明の一態様の制御装置は、前記第２の出力情報が、前記第２の発電制御装置の出力電圧の情報を含み、前記発電状態推定部は、前記第１のストリングのストリング電圧と、各第２の発電制御装置の出力電圧の和と、の差異が第１の所定値以下である場合、前記第１の太陽光パネルによる発電なしと推定する。
【０２２１】
また、本発明の一態様の制御装置は、前記第２の出力情報が、前記第２の発電制御装置の出力電圧の情報を含み、前記発電状態推定部は、第２のストリングのストリング電圧と、各第２の発電制御装置の出力電圧の和と、の差異が第１の所定値以下である場合、前記第１の太陽光パネルによる発電なしと推定する。
【０２２２】
また、本発明の一態様の制御装置は、前記第２の出力情報が、前記第２の発電制御装置の出力電圧の情報を含み、前記発電状態推定部は、各第２の発電制御装置の出力電圧の増大量が第２の所定値以上である場合、前記第１の太陽光パネルによる発電なしと推定する。
【０２２３】
また、本発明の一態様の制御装置は、前記発電状態推定部が、所定期間における各第２の発電制御装置の出力電圧の増大量が前記第２の所定値以上である場合、前記第１の太陽光パネルによる発電なしと推定する。
【０２２４】
また、本発明の一態様の制御装置は、前記出力制御指令送信部が、前記発電状態推定部により前記第１の太陽光パネルによる発電なしと推定された場合、各第２の発電制御装置の出力の上限を増大するよう前記出力制御指令を送信する。
【０２２５】
また、本発明の一態様の制御装置は、前記出力制御指令送信部が、前記発電状態推定部により前記第１の太陽光パネルによる発電ありと推定された場合、前記第２の発電制御装置の出力を増大しないよう前記出力制御指令を送信する。
【０２２６】
また、本発明の一態様の制御装置は、前記出力制御指令が、前記第２の発電制御装置の出力電圧の上限を低下させる指令を含む。
【０２２７】
また、本発明の一態様の制御装置は、前記出力制御指令が、前記第２の発電制御装置による昇圧を禁止する指令を含む。
【０２２８】
また、本発明の一態様の制御装置は、前記出力制御指令が、前記第２の発電制御装置による昇圧及び降圧を禁止する指令を含む。
【０２２９】
また、本発明の一態様の制御装置は、前記第１の発電制御装置が、前記太陽光パネルの出力を電力変換する電力変換部と、前記太陽光パネルの出力を、前記電力変換部を介さずにバイパスさせる電力変換バイパス部と、を備える。
【０２３０】
また、本発明の一態様の発電制御装置は、太陽光パネルの発電量を制御する発電制御装置であって、前記太陽光パネルの出力を検出する出力検出部と、前記出力検出部により検出された前記太陽光パネルの出力に基づく出力情報を、当該発電制御装置を制御する制御装置へ送信する出力情報送信部と、前記出力情報に基づいて前記制御装置により送信される当該発電制御装置の出力を制御するための出力制御指令を受信する出力制御指令受信部と、前記出力制御指令受信部により受信された前記出力制御指令に基づいて、前記太陽光パネルの出力を制御する制御部と、を備える。
【０２３１】
また、本発明の一態様の発電制御装置は、前記制御部が、前記出力制御指令に応じて、当該発電制御装置の出力電圧の上限を低下させ、当該発電制御装置の出力電圧が当該上限以下となるよう制御する。
【０２３２】
また、本発明の一態様の発電制御装置は、前記制御部が、前記出力制御指令に応じて、前記太陽光パネルの出力電圧に対する昇圧を禁止する。
【０２３３】
また、本発明の一態様の発電制御装置は、前記制御部が、前記出力制御指令に応じて、前記太陽光パネルの出力電圧に対する昇圧及び降圧を禁止する。
【０２３４】
また、本発明の一態様の発電制御装置は、第１の電力供給源としての前記太陽光パネルからの電力又は第２の電力供給源からの電力を供給する電源部を備える。
【０２３５】
また、本発明の一態様の発電制御装置は、前記太陽光パネルの出力を電力変換する電力変換部と、前記太陽光パネルの出力を、前記電力変換部を介さずにバイパスさせる電力変換バイパス部と、を備える。
【０２３６】
また、本発明の一態様の太陽光発電システムは、第１の太陽光パネルの発電量を制御する第１の発電制御装置と、第２の太陽光パネルの発電量を制御する第２の発電制御装置と、前記第１の発電制御装置及び前記第２の発電制御装置を制御する制御装置と、を備える太陽光発電システムであって、前記第１の発電制御装置は、前記第１の太陽光パネルの出力を検出する出力検出部と、前記出力検出部により検出された前記第１の太陽光パネルの出力に基づく第１の出力情報を、前記制御装置へ送信する出力情報送信部と、を備え、前記制御装置は、前記第１の発電制御装置からの前記第１の出力情報を受信する出力情報受信部と、前記出力情報受信部により前記第１の発電制御装置からの前記第１の出力情報を所定期間受信しない場合、前記第１の太陽光パネルによる発電状態を推定する発電状態推定部と、前記発電状態推定部により推定された前記第１の太陽光パネルによる発電状態に基づいて、前記第１の発電制御装置の出力に応じて出力が変動する前記第２の発電制御装置へ、前記第２の発電制御装置の出力を制御するための出力制御指令を送信する出力制御指令送信部と、を備え、前記第２の発電制御装置は、前記制御装置からの前記出力制御指令を受信する出力制御指令受信部と、前記出力制御指令受信部により受信された前記出力制御指令に基づいて、前記第２の太陽光パネルの出力を制御する制御部と、を備える。
【０２３７】
また、本発明の一態様の制御方法は、各太陽光パネルの発電量を制御する各発電制御装置を制御する制御装置における制御方法であって、各発電制御装置からの各太陽光パネルの出力に基づく各出力情報を受信するステップと、第１の発電制御装置から第１の出力情報を所定期間受信しない場合、前記第１の発電制御装置により制御される第１の太陽光パネルによる発電状態を推定するステップと、前記推定された前記第１の太陽光パネルによる発電状態に基づいて、前記第１の発電制御装置の出力に応じて出力が変動する第２の発電制御装置へ、前記第２の発電制御装置の出力を制御するための出力制御指令を送信するステップと、を有する。
【０２３８】
また、本発明の一態様の発電制御方法は、太陽光パネルの発電量を制御する発電制御装置における発電制御方法であって、前記太陽光パネルの出力を検出するステップと、前記出力検出部により検出された前記太陽光パネルの出力に基づく出力情報を、当該発電制御装置を制御する制御装置へ送信するステップと、前記出力情報に基づいて前記制御装置により送信される当該発電制御装置の出力を制御するための出力制御指令を受信するステップと、前記受信された前記出力制御指令に基づいて、前記太陽光パネルの出力を制御するステップと、を有する。
【０２３９】
また、本発明の一態様の制御装置は、前記第１の発電制御装置及び前記第２の発電制御装置を含む複数の前記発電制御装置から、所定個の異なる前記発電制御装置を、所定の切替周期毎に切り替えて選択する発電制御装置選択部と、を更に備え、前記出力制御指令送信部が、前記各発電制御装置からの各太陽光パネルの出力に基づく各出力情報の要求指令を、前記発電制御装置選択部により選択された前記所定個の異なる前記発電制御装置に送信する。
【０２４０】
また、本発明の一態様の制御装置は、前記発電制御装置選択部が、前記要求指令が送信された前記所定個の異なる前記発電制御装置のうちいずれかの発電制御装置から、前記太陽光パネルの出力に基づく出力情報が前記切替周期内に受信されない場合に、前記いずれかの発電制御装置を含む前記所定個の異なる発電制御装置を次の前記切替周期に選択する。
【０２４１】
また、本発明の一態様の制御装置は、前記出力制御指令送信部が、所定の出力情報収集周期内に、前記要求指令を全ての前記発電制御装置に送信し、前記所定の出力情報収集周期は、全ての前記発電制御装置に前記要求指令が送信されるまでの期間と、前記出力制御指令送信部に前記要求指令を再送させるための所定の予備期間とを含む。
【０２４２】
また、本発明の一態様の制御装置は、前記出力制御指令送信部は、前記第１の発電制御装置及び前記第２の発電制御装置を含む複数の前記発電制御装置から、前記太陽光パネルの出力に基づく出力情報の要求指令の送信タイミングを、他の制御装置との間で所定の出力情報収集期間毎に切り替える。
【０２４３】
また、本発明の一態様の制御装置は、前記他の制御装置との間において、前記所定の出力情報収集期間の開始タイミングが同期している。
【０２４４】
また、本発明の一態様の制御方法は、前記第１の発電制御装置及び前記第２の発電制御装置を含む複数の前記発電制御装置から、所定個の異なる前記発電制御装置を、所定の切替周期毎に切り替えて選択するステップと、前記各発電制御装置からの各太陽光パネルの出力に基づく各出力情報の要求指令を、選択された前記所定個の異なる前記発電制御装置に送信するステップと、を更に有する。
【０２４５】
また、本発明の一態様の制御方法は、前記第１の発電制御装置及び前記第２の発電制御装置を含む複数の前記発電制御装置から、前記太陽光パネルの出力に基づく出力情報の要求指令の送信タイミングを、他の制御装置との間で所定の出力情報収集期間毎に切り替えるステップと、を更に有する。
【産業上の利用可能性】
【０２４６】
本発明は、パワーコンディショナへの電気的な負荷を低減できる制御装置、発電制御装置、太陽光発電システム、制御方法、及び発電制御方法等に有用である。
【符号の説明】
【０２４７】
１００、１００Ａ  太陽光発電システム
１０，１０Ａ〜１０Ｈ、１０Ａ１〜１０Ｈ１、１０Ａｎ〜１０Ｈｎ  ＰＶパネル
１１Ａ，１１Ｂ  ＰＶストリング
２０，２０Ａ〜２０Ｈ、２０Ａ１、２０Ａｎ、２０Ｈ１、２０Ｈｎ  ＭＰＰＴ子機
２１  スイッチ部
２２  電源部
２２Ａ  二次電池
２２Ｂ  コンデンサ
２２Ｃ  外部電源
２３，２４  電流電圧検出部
２５  ＤＣＤＣ部
２５Ｓ  スイッチ部
２６  制御部
２７，２７Ａ，２７Ｂ  通信部
２８  入力端子
２９  出力端子
３０、３０１、３０ｎ  ＭＰＰＴ親機
３０ＮＷ１  親機＃１ネットワーク
３０ＮＷｎ  親機＃ｎネットワーク
３１  制御部
３２  ＣＰＵ
３３  ＲＡＭ
３４  フラッシュメモリ（ＦＬＡＳＨ）
３５  Ｉ／Ｏ部
３６  電源部
３７  通信部
４０、４０１、４０ｎ  接続箱
５０  パワーコンディショナ
６１，６２  ストリング電圧検出部
７０  コーディネータ端末
ＤＰ  ディスプレイ装置
ＰＬ  電力線
ＢＤ  バイパスダイオード
ＢＴ  バイパス用トランジスタ
ＢＬ  建物
ＳＤ  日陰
【図１】
2014142910.tif 000003
【図２】
2014142910.tif 000004
【図３】
2014142910.tif 000005
【図４】
2014142910.tif 000006
【図５】
2014142910.tif 000007
【図６】
2014142910.tif 000008
【図７】
2014142910.tif 000009
【図８】
2014142910.tif 000010
【図９】
2014142910.tif 000011
【図１０】
2014142910.tif 000012
【図１１】
2014142910.tif 000013
【図１２】
2014142910.tif 000014
【図１３】
2014142910.tif 000015
【図１４】
2014142910.tif 000016
【図１５】
2014142910.tif 000017
【図１６】
2014142910.tif 000018
【図１７】
2014142910.tif 000019
【図１８】
2014142910.tif 000020
【図１９】
2014142910.tif 000021
【図２０】
2014142910.tif 000022
【図２１】
2014142910.tif 000023
【図２２】
2014142910.tif 000024
【図２３】
2014142910.tif 000025